(57)【要約】  ベースと、ベースに設けられた入力部（所定の入力半径内で基準位置から放射状に離隔配置された第１方向指示位置に水平移動する第１方向入力と、水平位置から基準位置を中心として放射状に離隔配置された第２方向指示位置に入力部全体を傾き移動させる第２方向入力と、入力部自体に放射状に離隔配置された第３方向指示位置を選択する第３方向入力が独立的に実行可能である）と、水平移動を感知する第１感知部と、傾き移動を感知する第２感知部と、第３方向入力を感知する第３感知部と、第１〜第３感知部の感知結果から各第１〜第３方向指示位置に対応する第１〜第３文字をメモリ部から抽出して入力する制御部とを含む。第１〜第３方向入力の３種類の入力動作を１つの入力部で独立的に実行でき、最小の入力空間で所望の文字などのデータを１回の入力動作によって迅速かつ正確に入力できる。
2011508337.tif 000002
【特許請求の範囲】
【請求項１】
ベース；
前記ベースに設けられた入力部であって、前記入力部は、前記入力部が所定の入力半径内で基準位置から放射状に離隔配置された複数の第１方向指示位置のうちのいずれか１つに向かって水平移動されるようにする第１方向入力と、水平位置から前記基準位置を中心として放射状に離隔配置された複数の第２方向指示位置のうちのいずれか１つに向かって前記入力部全体が傾き移動されるようにする第２方向入力と、前記入力部自体に放射状に離隔配置された複数の第３方向指示位置のうちのいずれか１つを選択されるようにする第３方向入力と、がそれぞれ独立的に実行可能なように備えられる、入力部；
前記入力部の水平移動を感知する第１感知部；
前記入力部の傾き移動を感知する第２感知部；
前記第３方向入力を感知する第３感知部；および、
前記第１感知部、第２感知部および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項２】
前記第３方向入力は、前記入力部が前記複数の第３方向指示位置のうちのいずれか１つに向かって傾いて入力されることを特徴とする請求項１に記載のデータ入力装置。
【請求項３】
前記第３方向入力は、前記入力部に前記各第３方向指示位置に対応して設けられた押し部のうちのいずれか１つを選択して入力されることを特徴とする請求項１に記載のデータ入力装置。
【請求項４】
前記入力部は、前記入力部の中央に設けられた中央入力キーが選択されるような方法および前記入力部全体が前記ベースに対して昇降されるような方法のうちの１つ以上の方法を使用して実行される中央入力が実行可能なように構成されていることを特徴とする請求項１に記載のデータ入力装置。
【請求項５】
前記中央入力は２段以上の多段入力が実行可能なように備えられることを特徴とする請求項４に記載のデータ入力装置。
【請求項６】
前記中央入力と前記第１方向入力、第２方向入力、または第３方向入力のうちのいずれか１つを組み合わせる中央組み合わせ入力が実行される場合、前記第１方向指示位置、第２方向指示位置、および第３方向指示位置に本来割り当てられた文字とは異なった文字が入力されることを特徴とする請求項４に記載のデータ入力装置。
【請求項７】
前記第１方向入力、第２方向入力、または第３方向入力のうちの１つ以上は、前記入力部の水平移動距離、傾き移動の程度、傾き角度、または前記押し部の押し距離または押し圧力の強度によって２段以上の多段入力が可能なように備えられることを特徴とする請求項１に記載のデータ入力装置。
【請求項８】
前記第１方向指示位置、第２方向指示位置、または第３方向指示位置のうちのいずれか１つには母音文字が割り当てられ、残りの方向指示位置には子音文字が割り当てられることを特徴とする請求項１に記載のデータ入力装置。
【請求項９】
前記入力部は前記ベースに２つ以上備えられることを特徴とする請求項１に記載のデータ入力装置。
【請求項１０】
前記入力部の下部とベースの間に設けられて前記入力部が上部面に沿って水平移動するように支持し、前記入力部の傾き移動時に初期位置に復帰するようにする第１弾性部材と、前記入力部の縁部と前記ベースの間に設けられて前記入力部の水平移動時に前記初期位置に復帰するようにする第２弾性部材をさらに含むことを特徴とする請求項１〜９のうちのいずれか一項に記載のデータ入力装置。
【請求項１１】
前記ベースの内側縁部には前記各第１方向指示位置に対応して第１感知部が設けられ、前記第２弾性部材の縁部には前記各第１感知部に対応して突出し、前記入力部の水平移動時に前記入力部によって加圧され、前記第１感知部に接触する第１突出部が備えられることを特徴とする請求項１０に記載のデータ入力装置。
【請求項１２】
前記ベースには前記各第２方向指示位置に対応して第２感知部、前記各第３方向指示位置に対応して第３感知部、および前記中央入力キーの下部に対応して中央入力感知部が配置され、
前記第１弾性部材の縁部には前記各第２感知部に対応して突出し、前記入力部の傾き移動時に前記入力部によって加圧されて前記第２感知部に接触する第２突出部と、前記第１弾性部材の下部に前記各第３感知部に対応して突出し、前記入力部の傾き時に前記入力部によって加圧されて前記第３感知部に接触する第３突出部と、前記中央入力キーの下部に対応して前記第１弾性部材から突出し、前記中央入力時に前記中央入力感知部に接触する中央突出部がそれぞれ備えられることを特徴とする請求項１０に記載のデータ入力装置。
【請求項１３】
前記入力部の下部と前記ベースの間には、前記入力部に向かって湾曲した半球形状の支持部がさらに設けられ、
前記入力部は、前記支持部の上部面に対応する下部接触面を有して前記支持部に沿って傾き移動する第１入力部と、前記第１入力部の上部面に載置して前記第１入力部の上部面に沿って水平移動が可能なように備えられる第２入力部を有することを特徴とする請求項１〜９のうちのいずれか一項に記載のデータ入力装置。
【請求項１４】
前記ベースに向かう前記支持部の下部には、前記第３方向指示位置に対応して突出し、前記第３方向入力時に移動して前記第３感知部に接触する第３突出部と、前記入力部の中央に対応して前記ベースに向かって突出し、前記中央入力時に前記中央入力感知部に接触する中央突出部がさらに備えられることを特徴とする請求項１３に記載のデータ入力装置。
【請求項１５】
前記第１感知部は、前記第２入力部の水平移動時に前記第２入力部が接触するように前記各第１方向指示位置に対応して前記ベースの内側縁部に配置され、
前記第２感知部は、前記第１入力部の傾き移動時に前記第１入力部が接触するように前記各第２方向指示位置に対応して前記ベースの底面に配置されることを特徴とする請求項１３に記載のデータ入力装置。
【請求項１６】
前記第１入力部と第２入力部の間に設けられ、前記第１入力部の傾き移動または前記第２入力部の水平移動が選択的に行われるようにする入力転換部をさらに含むことを特徴とする請求項１３に記載のデータ入力装置。
【請求項１７】
前記入力部の下部と前記ベースの間には、前記入力部に向かって湾曲した半球形状を有して前記第１方向入力時に前記入力部と共に水平移動する移動支持部をさらに含むが、前記移動支持部の下部には、前記ベースに配置された前記第３感知部に向かって突出した第３突出部と、前記中央入力感知部に向かって突出した中央突出部が形成され、前記入力部は前記移動支持部の上部面の形状に対応する下部接触面が形成され、前記移動支持部に沿って傾き移動して前記第２方向入力が実行されることを特徴とする請求項１〜９のうちのいずれか一項に記載のデータ入力装置。
【請求項１８】
前記入力部の縁部に沿って前記各第２方向指示位置に対応して前記第２感知部に向かって突出した第２突出部をさらに含むことを特徴とする請求項１７に記載のデータ入力装置。
【請求項１９】
前記移動支持部と前記ベースの間に設けられ、前記第１方向入力時に前記入力部および移動支持部を基準位置に復帰するようにするリターン部材をさらに含むことを特徴とする請求項１７に記載のデータ入力装置。
【請求項２０】
前記入力部を利用して３次元のグラフィック作業時、前記第１方向入力によってはオブジェクトの移動操作を、左右方向の前記第３方向入力によってはオブジェクトの拡大および縮小操作を、前後方向の前記第３方向入力によっては時計または反時計方向へのオブジェクト平面回転を、前記第２方向入力によってはオブジェクトの３次元回転操作を実行することを特徴とする請求項１に記載のデータ入力装置。
【請求項２１】
前記入力部の上段には縁部に沿って複数のタッチ感知部が設けられ、前記タッチ感知部の連続的なタッチ方向によって前記平面回転操作が実行されることを特徴とする請求項２０に記載のデータ入力装置。
【請求項２２】
前記入力部は、基準位置を通過するベース面の法線を軸として左右回転が可能なように設けられ、前記入力部の回転によって前記オブジェクトの平面回転操作が実行されることを特徴とする請求項２０に記載のデータ入力装置。
【請求項２３】
前記入力部を利用して３次元地図（Ｍａｐ）探索作業時、前記第１方向入力によってはマウスポインタの移動操作を、左右方向の前記第３方向入力によってはマウスの左右ボタン操作を、前後方向の前記第３方向入力によっては前記地図の拡大または縮小操作を、前記第２方向入力によっては前記地図の３次元傾き操作が実行され、
前記中央入力が実行された状態で前記第１方向入力が実行される場合、前記地図の移動操作が実行されることを特徴とする請求項４に記載のデータ入力装置。
【請求項２４】
前記入力部の上段には縁部に沿って複数のタッチ感知部が設けられ、前記タッチ感知部の連続的なタッチ方向によって前記地図の時計または反時計方向への平面回転操作が実行されることを特徴とする請求項２３に記載のデータ入力装置。
【請求項２５】
前記入力部は、基準位置を通過するベース面の法線を軸として左右回転が可能なように設けられ、前記入力部の回転によって前記地図の時計または反時計方向への平面回転操作が実行されることを特徴とする請求項２３に記載のデータ入力装置。
【請求項２６】
マウスモード入力時、前記第１方向入力によってはマウスポインタの移動が操作され、前記１２時および６時方向の第２方向入力によってはウィンドウ表示、ウィンドウ拡大／縮小またはウィンドウ開／閉のうちのいずれか１つの機能が実行され、３時および９時方向の第２方向入力によっては各方向へのウィンドウ切り替え機能が実行され、１２時および６時方向の第３方向入力によってはスクロール上下調節が実行され、９時方向の第３方向入力によってはスクロールボタン機能が、３時方向の第３方向入力によってはマウス右ボタン機能が実行されることを特徴とする請求項１に記載のデータ入力装置。
【請求項２７】
前記第１感知部、第２感知部、および第３感知部は、前記入力領域に渡って配置されるタッチパッドまたはタッチスクリーンのうちのいずれか１つで構成されることを特徴とする請求項１に記載のデータ入力装置。
【請求項２８】
前記入力部を前記入力領域に設けられたベースにのせられるようにして前記各方向入力が実行されるようにする連結部材をさらに含むことを特徴とする請求項２７に記載のデータ入力装置。
【請求項２９】
前記連結部材は、帯形状を有する本体と、前記本体に設けられて前記入力部が前記各方向入力が実行可能なように収容される収容部と、前記本体の両端部に設けられて前記ベースにスライディング可能なように結合される移動支持部とを含むことを特徴とする請求項２８に記載のデータ入力装置。
【請求項３０】
前記連結部材は、本体と、前記本体に設けられて前記入力部が前記各１方向入力が実行可能なように収容される収容部と、前記本体が前記ベースに対して回動されることによって前記入力部が前記入力半径にのせられるようにするヒンジ部とを含むことを特徴とする請求項３０に記載の文字入力装置。
【請求項３１】
前記中央入力と各方向入力の組み合わせは、中央入力と各方向入力の組み合わせの順序によって区別され、互いに異なる入力信号を発生させることを特徴とする請求項６に記載のデータ入力装置。
【請求項３２】
前記第１方向入力、第２方向入力、または第３方向入力のうちの２つ以上が組み合わされて新たな入力信号を発生させる方向組み合わせ入力が実行可能なように構成されることを特徴とする請求項１に記載のデータ入力装置。
【請求項３３】
前記方向組み合わせ入力は、組み合わせられる各方向入力の順序によって互いに異なる入力信号が発生することを特徴とする請求項３２に記載のデータ入力装置。
【請求項３４】
前記第１方向入力、第２方向入力、または第３方向入力のうちのいずれか１つが先に実行された後に前記中央入力が実行され、続いて前記各方向入力のうちのいずれか１つが順に実行される方向中央方向入力によって新たな入力信号が発生することを特徴とする請求項４に記載のデータ入力装置。
【請求項３５】
前記ベースに設けられたディスプレイ部には前記各方向入力または中央入力によって入力される文字が表示される文字表示部を含むが、前記文字表示部には前記各方向入力または中央入力を順に実行する時に各入力位置で入力可能な文字または予測文字が表示され、該当する入力動作を実行する時に表示された前記文字または予測文字が一度に入力されることを特徴とする請求項１または４に記載のデータ入力装置。
【請求項３６】
ベース；
前記ベースに設けられた入力部であって、前記入力部は、前記入力部を所定の入力半径内で基準位置から放射状に離隔配置された複数の第１方向指示位置のうちのいずれか１つに水平移動されるようにする第１方向入力と、前記入力部を前記入力部自体に放射状に離隔配置された複数の第３方向指示位置のうちのいずれか１つに傾くようにする第３方向入力と、前記入力部がベースに対して昇降するようにする中央入力とがそれぞれ独立的に実行可能なように設けられる、入力部；
前記入力部の下部とベースの間に設けられて前記入力部の水平移動および傾きを支持し、下部には前記入力部の中心から前記ベースに向かって突出した中央突出部と、前記各第３方向指示位置に対応する位置で前記ベースに向かって突出した複数の第３突出部が形成された支持部；
前記ベースの内側縁部に沿って前記各第１方向指示位置に対応して設けられ、前記第１方向入力時に前記入力部の接触を感知する第１感知部；
前記第３方向入力時に前記第３突出部の接触を感知する第３感知部；
前記中央入力時に前記中央突出部の接触を感知する中央入力感知部；および、
前記第１感知部、第３感知部および、中央入力感知部の感知結果に基づいて前記各第１方向指示位置に割り当てられた第１文字、前記各第３方向指示位置に割り当てられた第３文字、または前記中央入力に割り当てられた入力命令をメモリ部から抽出して入力する制御部；
を含むデータ入力装置。
【請求項３７】
前記入力部の縁部に沿って前記各第１感知部に向かって突出した第１突出部と、
前記入力部と前記ベースの間に設けられて前記第１方向入力時に前記入力部を前記基準位置に復帰するようにするリターン部材をさらに含むことを特徴とする請求項３６に記載のデータ入力装置。
【請求項３８】
ベース；
前記ベースに設けられた入力部であって、前記入力部は、前記入力部を所定の入力半径内で基準位置から放射状に離隔配置された複数の第１方向指示位置のうちのいずれか１つに水平移動されるようにする第１方向入力と、前記入力部を前記入力部自体に放射状に離隔配置された複数の第３方向指示位置のうちのいずれか１つに傾くようにさせる第３方向入力がそれぞれ独立的に実行可能なように備えられる、入力部；
前記入力部の下部とベースの間に設けられて前記入力部の水平移動および傾きを支持する支持部；
一端が前記入力部の下部に延長されたロード；
前記ロードの他端に設けられて前記入力部の水平移動による前記ロードの移動方向を感知する第１感知部；
前記支持部の下部に前記各第３方向指示位置に対応して設けられ、前記第３方向入力時に前記支持部と接触する第３感知部；および、
前記第１感知部および第３感知部の感知結果に基づいて前記各第１方向指示位置に割り当てられた第１文字または前記各第３方向指示位置に割り当てられた第３文字をメモリ部から抽出して入力する制御部；
を含むデータ入力装置。
【請求項３９】
ベース；
前記ベースに設けられた入力部であって、前記入力部は、
内側入力部であって、前記内側入力部が水平位置から基準位置を中心として放射状に離隔配置された複数の第２方向指示位置のうちのいずれか１つに向かって傾くようにされる第２方向入力が実行するための内側入力部と、
前記内側入力部の周縁に沿って前記内側入力部の外部に設けられ、かつ前記基準位置を中心として放射状に離隔配置された複数の第３方向指示位置のうちのいずれか１つを選択する第３方向入力を実行するように構成された、外側入力部と、
を含み、
前記入力部が、前記外側入力部および内側入力部を前記基準位置から放射状に離隔配置された複数の第１方向指示位置のうちのいずれか１つに対して同時に水平移動させる第１方向入力が実行可能なように構成されている、入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項４０】
ベース；
前記ベースに設けられた入力部であって、前記入力部は、
水平位置から基準位置を中心として放射状に離隔配置された複数の第３方向指示位置のうちのいずれか１つを選択する第２方向入力を実行する内側入力部と、
外側入力部であって、前記内側入力部の周縁に沿って前記内側入力部の外部に設けられ、かつ前記基準位置を中心として放射状に離隔配置された複数の第２方向指示位置のうちのいずれか１つに向かって前記外側入力部を傾くようにする第２方向入力を実行するよう構成された外側入力部と、を含み、
前記入力部が、前記外側入力部および内側入力部を前記基準位置から放射状に離隔配置された複数の第１方向指示位置のうちのいずれか１つに同時に水平移動させる第１方向入力が実行可能なように構成された、入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項４１】
ベース；
前記ベースに設けられた入力部であって、前記入力部は、
内側入力部であって、前記内側入力部を水平位置から基準位置を中心として放射状に離隔配置された複数の第２方向指示位置のうちのいずれか１つに向かって傾くようにさせる第２方向入力を実行するための内側入力部と、
前記内側入力部の周縁に沿って前記内側入力部の外部に設けられ、前記基準位置を中心として放射状に離隔配置された複数の第３方向指示位置のうちのいずれか１つを選択する第３方向入力を実行するよう構成された外側入力部と、を含み、
前記入力部が、前記外側入力部および内側入力部を前記基準位置から放射状に離隔配置された複数の第１方向指示位置のうちのいずれか１つに同時に水平移動させる第１方向入力を実行可能なように構成された、入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項４２】
前記外側入力部は、前記各方向指示位置別に分割されるよう備えられることを特徴とする請求項４０または４１に記載のデータ入力装置。
【請求項４３】
前記外側入力部は、前記内側入力部の外部を囲む一体型のリング形状で備えられることを特徴とする請求項４０または４１に記載のデータ入力装置。
【請求項４４】
前記外側入力部の上段部断面は、内側周縁から外側周縁に向かって上向傾斜をなしながら備えられることを特徴とする請求項４０または４１に記載のデータ入力装置。
【請求項４５】
前記外側入力部は前記内側入力部の上部周縁に沿って複数に設けられ、前記外側入力部と内側入力部の間には前記第３方向入力実行後に前記外側入力部を元の位置に復帰させる弾性体がさらに備えられることを特徴とする請求項４１に記載のデータ入力装置。
【請求項４６】
ベース；
前記ベースに設けられた移動支持部；
前記移動支持部に装着される入力部であって、前記入力部は、前記入力部と移動支持部を基準位置から各放射方向に水平移動するように第１方向入力を実行し、前記入力部を前記移動支持部上部で各放射方向に傾けるように第２方向入力を実行し、前記入力部上段の各放射方向に対応する周縁が押圧されるように第３方向入力を実行する、入力部；
前記入力部の水平移動を感知する第１感知部；
前記入力部の傾き移動を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項４７】
前記入力部は、第１入力部と、前記第１入力部の上部に配置されかつ前記第３方向入力を実行するよう構成された第２入力部とを含み、
前記第１入力部の縁部には前記第３方向入力時に前記第１入力部の傾きを防ぐ傾き防止爪がさらに備えられることを特徴とする請求項４６に記載のデータ入力装置。
【請求項４８】
前記第１入力部と移動支持部の間に設けられ、前記第１入力部の傾き時に弾性変形して前記第２方向入力を実行するようにし、前記第２方向入力実行後に前記第１入力部を元の位置に復帰させる弾性体をさらに含むことを特徴とする請求項４７に記載のデータ入力装置。
【請求項４９】
ベース；
前記ベースに設けられた移動支持部；
前記移動支持部に装着される入力部であって、前記入力部は、前記入力部と移動支持部を基準位置から各放射方向に水平移動するように第１方向入力を実行し、前記入力部上段の各放射方向に対応する周縁を傾けるように第２方向入力を実行し、前記入力部上段の各放射方向に対応して周縁が押圧されるように第３方向入力を実行する、入力部；
前記入力部の水平移動を感知する第１感知部；
前記入力部の傾き移動を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項５０】
前記支持部の上部に前記各第２方向指示位置および第３方向指示位置に対応して突出した弾性突起と、前記弾性突起と前記入力部の間に設けられた半円支持部をさらに含み、
前記第２方向入力時には前記半円支持部が前記入力部の傾き方向に回転して前記第２感知部に接触し、前記第３方向入力時には前記半円支持部がそのまま下降して前記第３感知部に接触することを特徴とする請求項４９に記載のデータ入力装置。
【請求項５１】
前記移動支持部と前記ベースの間に設けられ、前記第２方向入力時に前記入力部の傾き方向に弾性変形する弾性体をさらに含むことを特徴とする請求項４０、４１、４６、または４９のうちのいずれか一項に記載のデータ入力装置。
【請求項５２】
前記入力部と移動支持部の間に設けられ、前記第３方向入力時に前記入力部が傾くことを防ぐ入力転換部をさらに含むことを特徴とする請求項４０、４１、４６、または４９のうちのいずれか一項に記載のデータ入力装置。
【請求項５３】
ベース；
前記ベースに円板形状で設けられ、下部には前記ベースに向かって突出した棒状の支持突起が形成された入力部であって、前記入力部は、前記入力部を基準位置から各第１方向指示位置に向かって水平移動させる第１方向入力と、前記入力部を各第２方向指示位置に向かって傾くようにする第２方向入力と、前記入力部上段の各第３方向指示位置を押圧する第３方向入力がそれぞれ独立的に実行可能なように備えられる、入力部；
前記ベースと入力部の間に設けられ、中央に前記支持突起が傾き可能なように収容される収容溝が形成された支持部；
前記入力部の水平移動を感知する第１感知部；
前記入力部の傾き移動を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項５４】
ベース；
前記ベースに設けられた入力部であって、前記入力部は、前記入力部を基準位置から各第１方向指示位置に向かって水平移動させる第１方向入力と、前記入力部の周縁に沿って各第２方向指示位置に設けられた押圧位置を選択する第２方向入力と、前記入力部の周縁に沿って前記第２方向指示位置と交差するように配置された各第３方向指示位置に設けられた押圧位置を選択する第３方向入力と、がそれぞれ独立的に実行可能なように備えられる、入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項５５】
前記入力部は、前記各第２方向指示位置に対応して押圧位置が突出した内側入力部と、前記各第３方向指示位置に対応して設けられた複数の外側入力部を含むことを特徴とする請求項５４に記載のデータ入力装置。
【請求項５６】
ベース；
前記ベースに設けられた入力部であって、前記入力部は、前記入力部を基準位置から各第１方向指示位置に向かって水平移動させる第１方向入力と、前記入力部を各第２方向指示位置に向かって傾くようにする第２方向入力と、前記入力部を前記第２方向指示位置と交差するように配置された各第３方向指示位置に向かって傾くようにする第３方向入力と、がそれぞれ独立的に実行可能なように備えられる、入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項５７】
前記入力部は、内側入力部と、前記内側入力部の縁部に沿って前記各第３方向指示位置に対応して設けられた複数の外側入力部と、前記内側入力部と各外側入力部の間に設けられた弾性体を含むことを特徴とする請求項５６に記載のデータ入力装置。
【請求項５８】
ベース；
第１入力部であって、前記ベースに設けられ、前記第１入力部を規準位置から各第１方向指示位置に向かって水平移動させる第１方向入力を実行するよう構成された第１入力部；
第２入力部であって、中央から放射状に延長した複数の突起を有する星模様を有して、前記第１入力部に設けられ、前記第２入力部を各突起に対応する第２方向指示位置に向かって傾くようにする第２方向入力と、前記第２入力部を各突起に対応する第３方向指示位置で押圧する第３方向入力と、をそれぞれ独立的に実行可能なように備えられる第２入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項５９】
前記外側入力部は６個の突起を有するが、４個は東西南北の４方向に延長され、残りの２個はそれぞれ東北および西北方向に延長形成されることを特徴とする請求項５８に記載のデータ入力装置。
【請求項６０】
ベース；
前記ベースに設けられた入力部であって、前記入力部は、ジェル（ＧＥＬ）タイプの弾性変形が可能な材質を含み、前記入力部全体または一部を基準位置から各第１方向指示位置に向かって水平移動させる第１方向入力と、前記入力部の上段周縁に沿って各第２方向指示位置で押しによる局部変形を発生させる第２方向入力と、前記入力部の周縁に沿って各第３方向指示位置に向かって前記入力部上段を傾くようにする第３方向入力と、がそれぞれ独立的に実行可能なように備えられる、入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【発明の詳細な説明】
【技術分野】
【０００１】
本発明はデータ入力装置に関し、より詳細には、１つの入力部で３種類の入力動作が各方向指示位置別に同時または順に実行されるようにすることにより、最小限の入力空間において１動作で入力可能な文字の数を最大化することができると共に、１動作で１音素(phoneme)以上を迅速かつ正確に入力することができるデータ入力装置に関する。
【背景技術】
【０００２】
最近、ソフトウェアと半導体技術および情報処理技術の発達によって情報機器が次第に小型化している傾向にあるが、これに比例し、各種情報機器における文字入力またはその重要度が日々増大している。しかしながら、このような情報機器において、各種文字や命令語の入力に多くの問題点が生じている。
【０００３】
例えば、ＰＣ（Ｐｅｒｓｏｎａｌ  Ｃｏｍｐｕｔｅｒ）またはノートパソコン（ＮｏｔｅＢｏｏｋ）に用いられるキーボードのような入力装置はサイズを小さくすることに限界があり、これらの情報機器を小型化することに困難が伴う。また、ＰＤＡ（Ｐｅｒｓｏｎａｌ  Ｄａｔａ  Ａｓｓｉｓｔａｎｔ）で用いるタッチスクリーン方式や携帯電話機で用いるキーパッド方式は入力速度が遅く、誤って入力される場合が多くて不便であるという点がある。
【０００４】
このようなＰＣ、ノートパソコン、ＰＤＡ、または携帯電話機などの情報機器において、より速い速度で文字、数字、または記号などを入力するためには、１回の入力動作に１つの音素（文字）が入力される、いわゆる１動作１音素入力が行われる必要がある。このような１動作１音素入力がハングルを対象とする場合には、２４以上の文字を入力するためのボタンや入力キーが情報機器に配列される必要がある。
【０００５】
入力の対象となる言語が英語や日本語またはその他の外国語である場合には、ハングルの場合よりもさらに多くのボタンや入力キーを増設する必要があるかも知れない。さらに、携帯用端末器において次第にデスクトップＰＣの性能を実現し出していることから、携帯用端末器でも文字入力の他に各種命令キー（エンター、スペース、シフトキーなど）、Ｆｚｌ、記号などキーボードのすべての入力機能を実行しなければならない状況に至っている。
【０００６】
しかしながら、各種情報機器で用いる従来の入力装置は、それぞれの入力キーに文字を割り当て、指でたたいたり押したりして入力する方式である。したがって、入力キーを配列する空間が相対的に狭い携帯電話機のような個人携帯用情報端末器には、指の大きさの入力キーを２４個以上も配列することが困難な実情にある。これが現在までキーボードを小型化し難い理由であった。
【０００７】
特に、携帯電話機の場合には、通常、１２個のボタンで２４字以上のハングル文字をすべて入力するとすれば、１つのボタンに複数の文字を重複配列することを避けることができない。
【０００８】
したがって、１つの文字（音素）を入力するために２回、３回繰り返して入力する反復入力現象が頻繁に発生するようになるため、それだけ入力時間が長くなり、誤打が多く発生するようになるという問題点があった。
【０００９】
また、入力方法自体が極めて複雑になり慣れるまでに長い時間がかかるなどの問題点があった。このような問題を解消するために、ハングル文字入力の場合、「天地人」のように所定の文字を組み合わせて入力する文字入力方式が提案された。
【００１０】
しかしながら、このような方法の場合、基本となる文字を組み合わせて所望する文字を生成するため、文字を割り当てるための入力ボタンの数を減らすことができるという長所はあるが、所望する文字が組み合わさるまで入力ボタンを繰り返して押さなければならないため、それだけ入力時間が長くなるという問題点があった。
【００１１】
また、ぐるぐるに巻いて携帯することができるキーボードや、キーボードのイメージを平面に映写し、その上で指でキーボードを入力するような動作を取れば、指の位置を感知して入力が行われる仮想レーザーキーボードなどの技術も提案された。しかしながら、このような種類の入力装置は常に携帯しなければならないという不便さがあり、平面に置かれた状態でのみ入力が可能であるため、移動中に手に持った状態で入力する必要がある個人携帯用情報端末器への適用は不適であるという問題点があった。
【発明の概要】
【発明が解決しようとする課題】
【００１２】
したがって、本発明は、１つの入力部で第１方向入力、第２方向入力、および第３方向入力の３種類の入力動作を同時または順に行うことによって文字などの入力のための必要空間を最小化しながら、所望するすべての文字を１回の入力動作によって迅速かつ正確に入力することができるデータ入力装置を提供することを目的とする。
【００１３】
また、本発明は、前記第１方向入力、第２方向入力、および第３方向入力を独立的または組み合わせて用いることにより、３次元グラフィック作業または３次元地図（Ｍａｐ）作業など多様な分野での活用が可能なデータ入力装置を提供することを他の目的とする。
【課題を解決するための手段】
【００１４】
上述した目的は、本発明により、ベースと、前記ベースに設けられた入力部（前記入力部は、所定の入力半径内において基準位置から放射状に離隔配置された複数の第１方向指示位置のうちのいずれか１つに水平移動する第１方向入力と、水平位置から前記基準位置を中心として放射状に離隔配置された複数の第２方向指示位置のうちのいずれか１つに向かって前記入力部全体が傾き移動する第２方向入力と、前記入力部自体に放射状に離隔配置された複数の第３方向指示位置のうちのいずれか１つを選択する第３方向入力がそれぞれ独立的に実行可能なように設けられる）と、前記入力部の水平移動を感知する第１感知部と、前記入力部の傾き移動を感知する第２感知部と、前記第３方向入力を感知する第３感知部と、前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部とを含むデータ入力装置によって達成される。
【００１５】
前記第３方向入力は、前記入力部が前記複数の第３方向指示位置のうちのいずれか１つに向かって傾いて入力されてもよい。
【００１６】
前記第３方向入力は、前記入力部に前記各第３方向指示位置に対応して設けられた押し部のうちのいずれか１つを選択して入力されてもよい。
【００１７】
前記入力部の中央に設けられた中央入力キーの選択または前記入力部全体が前記ベースに対して昇降のうちの１つ以上の方法によって実行される中央入力が実行可能なように備えられてもよい。
【００１８】
前記中央入力は２段以上の多段入力が実行可能なように設けられてもよい。
【００１９】
前記中央入力と前記第１方向入力、第２方向入力、または第３方向入力のうちのいずれか１つを組み合わせる中央組み合わせ入力が実行される場合、前記第１方向指示位置、第２方向指示位置、および第３方向指示位置に本来割り当てられた文字とは異なる文字が入力されてもよい。
【００２０】
前記第１方向入力、第２方向入力、または第３方向入力のうちの１つ以上は、前記入力部の水平移動距離、傾き移動の程度、傾き角度、または前記押し部の押し距離または押し圧力の強度によって２段以上の多段入力が可能なように設けられてもよい。
【００２１】
前記第１方向指示位置、第２方向指示位置、または第３方向指示位置のうちのいずれか１つには母音文字が割り当てられ、残りの方向指示位置には子音文字が割り当てられてもよい。
前記入力部は前記ベースに２つ以上で設けられてもよい。
【００２２】
前記入力部の下部とベースの間に設けられて前記入力部が上部面に沿って水平移動するように支持し、前記入力部の傾き移動時に初期位置に復帰するようにする第１弾性部材と、前記入力部の縁部と前記ベースの間に設けられて前記入力部の水平移動時に前記初期位置に復帰するようにする第２弾性部材とをさらに含んでもよい。
【００２３】
前記ベースの内側縁部には前記各第１方向指示位置に対応して第１感知部が設けられ、前記第２弾性部材の縁部には前記各第１感知部に対応して突出し、前記入力部の水平移動時に前記入力部によって加圧されて前記第１感知部に接触する第１突出部が設けられてもよい。
【００２４】
前記ベースには前記各第２方向指示位置に対応して第２感知部、前記各第３方向指示位置に対応して第３感知部、および前記中央入力キーの下部に対応して中央入力感知部が配置され、前記第１弾性部材の縁部には前記各第２感知部に対応して突出し、前記入力部の傾き移動時に前記入力部によって加圧されて前記第２感知部に接触する第２突出部と、前記第１弾性部材の下部に前記各第３感知部に対応して突出し、前記入力部の傾き時に前記入力部によって加圧されて前記第３感知部に接触する第３突出部と、前記中央入力キーの下部に対応して前記第１弾性部材から突出し、前記中央入力時に前記中央入力感知部に接触する中央突出部とがそれぞれ設けられてもよい。
【００２５】
前記入力部の下部と前記ベースの間には前記入力部に向かって湾曲した半球形状の支持部がさらに設けられ、前記入力部は、前記支持部の上部面に対応する下部接触面を有して前記支持部に沿って傾き移動する第１入力部と、前記第１入力部の上部面に載置して前記第１入力部の上部面に沿って水平移動が可能なように設けられる第２入力部とを有してもよい。
【００２６】
前記ベースに向かう前記支持部の下部には、前記第３方向指示位置に対応して突出し、前記第３方向入力時に移動して前記第３感知部に接触する第３突出部と、前記入力部の中央に対応して前記ベースに向かって突出し、前記中央入力時に前記中央入力感知部に接触する中央突出部とがさらに設けられてもよい。
【００２７】
前記第１感知部は前記第２入力部の水平移動時に前記第２入力部が接触するように前記各第１方向指示位置に対応して前記ベースの内側縁部に配置され、前記第２感知部は前記第１入力部の傾き移動時に前記第１入力部が接触するように前記各第２方向指示位置に対応して前記ベースの底面に配置されてもよい。
【００２８】
前記第１入力部と第２入力部の間に設けられ、前記第１入力部の傾き移動または前記第２入力部の水平移動が選択的に実行されるようにする入力転換部をさらに含んでもよい。
【００２９】
前記入力部の下部と前記ベースの間には前記入力部に向かって湾曲した半球形状を有して前記第１方向入力時に前記入力部と共に水平移動する移動支持部をさらに含み、前記移動支持部の下部には前記ベースに配置された前記第３感知部に向かって突出した第３突出部と、前記中央入力感知部に向かって突出した中央突出部が形成され、前記入力部は前記移動支持部の上部面の形状に対応する下部接触面が形成されて前記移動支持部に沿って傾き移動し、前記第２方向入力が実行されてもよい。
【００３０】
前記入力部の縁部に沿って前記各第２方向指示位置に対応して前記第２感知部に向かって突出した第２突出部をさらに含んでもよい。
【００３１】
前記移動支持部と前記ベースの間に設けられ、前記第１方向入力時に前記入力部および移動支持部を基準位置に復帰するようにするリターン部材をさらに含んでもよい。
【００３２】
前記入力部を利用して３次元のグラフィックの作業時、前記第１方向入力によってはオブジェクトの移動操作を、左右方向の前記第３方向入力によってはオブジェクトの拡大および縮小操作を、前後方向の前記第３方向入力によっては時計または反時計方向へのオブジェクト平面回転を、前記第２方向入力によってはオブジェクトの３次元回転操作を実行してもよい。
【００３３】
前記入力部の上段には縁部に沿って複数のタッチ感知部が設けられ、前記タッチ感知部の連続的なタッチ方向によって前記平面回転操作が実行されてもよい。
【００３４】
前記入力部は基準位置を通過するベース面の法線を軸にして左右回転が可能なように設けられ、前記入力部の回転によって前記オブジェクトの平面回転操作が実行されてもよい。
【００３５】
前記入力部を利用して３次元地図（Ｍａｐ）探索の作業時、前記第１方向入力によってはマウスポインタの移動操作を、左右方向の前記第３方向入力によってはマウスの左右ボタン操作を、前後方向の前記第３方向入力によっては前記地図の拡大または縮小操作を、前記第２方向入力によっては前記地図の３次元傾き操作が実行され、前記中央入力が実行された状態で前記第１方向入力が実行される場合、前記地図の移動操作が実行されてもよい。
【００３６】
前記入力部の上段には縁部に沿って複数のタッチ感知部が設けられ、前記タッチ感知部の連続的なタッチ方向によって前記地図の時計または反時計方向への平面回転操作が実行されてもよい。
【００３７】
前記入力部は基準位置を通過するベース面の法線を軸として左右回転が可能なように設けられ、前記入力部の回転によって前記地図の時計または反時計方向への平面回転操作が実行されてもよい。
【００３８】
マウスモード入力時、前記第１方向入力によってはマウスポインタの移動が操作され、前記１２時および６時方向の第２方向入力によってはウィンドウ表示、ウィンドウ拡大／縮小、またはウィンドウ開／閉のうちのいずれか１つの機能が実行され、３時および９時方向の第２方向入力によっては各方向へのウィンドウ切り替え機能が実行され、１２時および６時方向の第３方向入力によってはスクロール上下調節が実行され、９時方向の第３方向入力によってはスクロールボタン機能が、３時方向の第３方向入力によってはマウス右ボタン機能が実行されてもよい。
【００３９】
前記第１感知部、第２感知部、および第３感知部は、前記入力領域に渡って配置されるタッチパッドまたはタッチスクリーンのうちのいずれか１つに設けられてもよい。
【００４０】
前記入力部を前記入力領域に設けられたベースにのせられるようにし、前記各方向入力が実行されるようにする連結部材をさらに含んでもよい。
【００４１】
前記連結部材は、帯形状を有する本体と、前記本体に備えられて前記入力部が前記各方向入力が実行可能なように収容される収容部と、前記本体の両端部に設けられて前記ベースにスライディング可能なように結合される移動支持部とを含んでもよい。
【００４２】
前記連結部材は、本体と、前記本体に設けられて前記入力部が前記各１方向入力が実行可能なように収容される収容部と、前記本体が前記ベースに対して回動することによって前記入力部が前記入力半径にのせられるようにするヒンジ部とを含んでもよい。
【００４３】
前記中央入力と各方向入力の組み合わせは、中央入力と各方向入力の組み合わせ順序によって区別され、互いに異なる入力信号を発生させてもよい。
【００４４】
前記第１方向入力、第２方向入力、または第３方向入力のうちの２つ以上が組み合わされて新たな入力信号を発生させる方向組み合わせ入力が実行可能なように設けられてもよい。
【００４５】
前記方向組み合わせ入力は、組み合わされる各方向入力の順序によって互いに異なる入力信号が発生されてもよい。
【００４６】
前記第１方向入力、第２方向入力、または第３方向入力のうちのいずれか１つが先ず実行された後に前記中央入力が実行され、続いて前記各方向入力のうちのいずれか１つが順に実行される方向中央方向入力によって新たな入力信号が発生されてもよい。
【００４７】
前記ベースに設けられたディスプレイ部には前記各方向入力または中央入力によって入力される文字が表示される文字表示部を含むが、前記文字表示部には前記各方向入力または中央入力を順に実行するときに各入力位置で入力可能な文字または予測文字が表示され、当該入力動作を実行するときに表示された前記文字または予測文字が一度に入力されてもよい。
【００４８】
一方、上述した目的は、本発明により、ベースと、前記ベースに設けられた入力部（前記入力部は、所定の入力半径内で基準位置から放射状に離隔配置された複数の第１方向指示位置のうちのいずれか１つに水平移動する第１方向入力と、前記入力部自体に放射状に離隔配置された複数の第３方向指示位置のうちのいずれか１つに傾く第３方向入力と、前記入力部がベースに対して昇降する中央入力がそれぞれ独立的に実行可能なように設けられる）と、前記入力部の下部とベースの間に設けられて前記入力部の水平移動および傾きを支持し、下部には前記入力部の中心から前記ベースに向かって突出した中央突出部と、前記各第３方向指示位置に対応する位置で前記ベースに向かって突出した複数の第３突出部が形成された支持部と、前記ベースの内側縁部に沿って前記各第１方向指示位置に対応して設けられ、前記第１方向入力時に前記入力部の接触を感知する第１感知部と、前記第３方向入力時に前記第３突出部の接触を感知する第３感知部と、前記中央入力時に前記中央突出部の接触を感知する中央入力感知部と、前記第１感知部、第３感知部、および中央入力感知部の感知結果に基づいて前記各第１方向指示位置に割り当てられた第１文字、前記各第３方向指示位置に割り当てられた第３文字、または前記中央入力に割り当てられた入力命令をメモリ部から抽出して入力する制御部とを含むデータ入力装置によっても達成される。
【００４９】
前記入力部の縁部に沿って前記各第１感知部に向かって突出した第１突出部と、前記入力部と前記ベースの間に設けられ、前記第１方向入力時に前記入力部を前記基準位置に復帰するようにするリターン部材をさらに含んでもよい。
【００５０】
一方、前記目的は、本発明により、ベースと、前記ベースに設けられた入力部（前記入力部は、所定の入力半径内で基準位置から放射状に離隔配置された複数の第１方向指示位置のうちのいずれか１つに水平移動する第１方向入力と、前記入力部自体に放射状に離隔配置された複数の第３方向指示位置のうちのいずれか１つに傾く第３方向入力がそれぞれ独立的に実行可能なように設けられる）と、前記入力部の下部とベースの間に設けられて前記入力部の水平移動および傾きを支持する支持部と、一端が前記入力部の下部に延長されたロードと、前記ロードの他端に設けられて前記入力部の水平移動による前記ロードの移動方向を感知する第１感知部と、前記支持部の下部に前記各第３方向指示位置に対応して設けられ、前記第３方向入力時に前記支持部と接触する第３感知部と、前記第１感知部および第３感知部の感知結果に基づいて前記各第１方向指示位置に割り当てられた第１文字または前記各第３方向指示位置に割り当てられた第３文字をメモリ部から抽出して入力する制御部とを含むデータ入力装置によっても達成される。
【００５１】
一方、上述した目的は、本発明により、ベースと、前記ベースに設けられた入力部（前記入力部は、水平位置から基準位置を中心として放射状に離隔配置された複数の第２方向指示位置のうちのいずれか１つに向かって傾く第２方向入力が実行される内側入力部と、前記内側入力部の周縁に沿って外部に設けられ、前記基準位置を中心として放射状に離隔配置された複数の第３方向指示位置のうちのいずれか１つを選択する第３方向入力が実行される外側入力部を含み、前記外側入力部および内側入力部が前記基準位置から放射状に離隔配置された複数の第１方向指示位置のうちのいずれか１つに同時に水平移動する第１方向入力が実行可能なように設けられる）と、前記第１方向入力を感知する第１感知部と、前記第２方向入力を感知する第２感知部と、前記第３方向入力を感知する第３感知部と、前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部とを含むデータ入力装置によっても達成される。
【００５２】
一方、上述した目的は、本発明により、ベースと、前記ベースに設けられた入力部（前記入力部は、水平位置から基準位置を中心として放射状に離隔配置された複数の第３方向指示位置のうちのいずれか１つを選択する第２方向入力が実行される内側入力部と、前記内側入力部の周縁に沿って外部に設けられ、前記基準位置を中心として放射状に離隔配置された複数の第２方向指示位置のうちのいずれか１つに向かって傾く第２方向入力が実行される外側入力部を含み、前記外側入力部および内側入力部が前記基準位置から放射状に離隔配置された複数の第１方向指示位置のうちのいずれか１つに同時に水平移動する第１方向入力が実行可能なように設けられる）と、前記第１方向入力を感知する第１感知部と、前記第２方向入力を感知する第２感知部と、前記第３方向入力を感知する第３感知部と、前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部とを含むデータ入力装置によっても達成される。
【００５３】
一方、上述した目的は、本発明により、ベースと、前記ベースに設けられた入力部（前記入力部は、水平位置から基準位置を中心として放射状に離隔配置された複数の第２方向指示位置のうちのいずれか１つに向かって傾く第２方向入力が実行される内側入力部と、前記内側入力部の周縁に沿って外部に設けられ、前記基準位置を中心として放射状に離隔配置された複数の第３方向指示位置のうちのいずれか１つを選択する第３方向入力が実行される外側入力部を含み、前記外側入力部および内側入力部が前記基準位置から放射状に離隔配置された複数の第１方向指示位置のうちのいずれか１つに同時に水平移動する第１方向入力が実行可能なように設けられる）と、前記第１方向入力を感知する第１感知部と、前記第２方向入力を感知する第２感知部と、前記第３方向入力を感知する第３感知部と、前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部とを含むデータ入力装置によっても達成される。
【００５４】
前記外側入力部は前記各方向指示位置別に分割されて設けられてもよい。
【００５５】
前記外側入力部は前記内側入力部の外部を囲む一体型のリング形状で設けられてもよい。
【００５６】
前記外側入力部の上段部断面は内側周縁から外側周縁に向かって上向傾斜を有して設けられてもよい。
【００５７】
前記外側入力部は前記内側入力部の上部周縁に沿って複数で設けられ、前記外側入力部と内側入力部の間には前記第３方向入力実行後に前記外側入力部を元の位置に復帰させる弾性体がさらに設けられてもよい。
【００５８】
一方、上述した目的は、本発明により、ベースと、前記ベースに設けられた移動支持部と、前記移動支持部にのせられる入力部（前記入力部は、前記入力部と移動支持部を基準位置から各放射方向に水平移動して第１方向入力が実行され、前記入力部を前記移動支持部上部で各放射方向に傾けて第２方向入力を実行し、前記入力部上端の各放射方向に対応する周縁を押して第３方向入力を実行する）と、前記入力部の水平移動を感知する第１感知部と、前記入力部の傾き移動を感知する第２感知部と、前記第３方向入力を感知する第３感知部と、前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部とを含むデータ入力装置によっても達成される。
【００５９】
前記入力部は第１入力部と、前記第１入力部の上部にのせられて前記第３方向入力が実行される第２入力部とを含み、前記第１入力部の縁部には前記第３方向入力時に前記第１入力部の傾きを防ぐ傾き防止爪がさらに設けられてもよい。
【００６０】
前記第１入力部と移動支持部の間に設けられ、前記第１入力部の傾き時に弾性変形して前記第２方向入力を実行するようにし、前記第２方向入力の実行後に前記第１入力部を元の位置に復帰させる弾性体をさらに含んでもよい。
【００６１】
一方、上述した目的は、本発明により、ベースと、前記ベースに設けられた移動支持部と、前記移動支持部にのせられる入力部（前記入力部は、前記入力部と移動支持部を基準位置から各放射方向に水平移動して第１方向入力が実行され、前記入力部上端の各放射方向に対応する周縁を傾けて第２方向入力を実行し、前記入力部上端の各放射方向に対応して周縁を押して第３方向入力を実行する）と、前記入力部の水平移動を感知する第１感知部と、前記入力部の傾き移動を感知する第２感知部と、前記第３方向入力を感知する第３感知部と、前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部とを含むデータ入力装置によっても達成される。
【００６２】
前記支持部の上部に前記各第２方向指示位置および第３方向指示位置に対応して突出した弾性突起と、前記弾性突起と前記入力部の間に設けられた半円支持部とをさらに含み、前記第２方向入力時には前記半円支持部が前記入力部の傾き方向に回転して前記第２感知部に接触し、前記第３方向入力時には前記半円支持部がそのまま下降して前記第３感知部に接触してもよい。
【００６３】
前記移動支持部と前記ベースの間に設けられ、前記第２方向入力時に前記入力部の傾き方向に弾性変形する弾性体をさらに含んでもよい。
【００６４】
前記入力部と移動支持部の間に設けられ、前記第３方向入力時に前記入力部の傾きを防ぐ入力転換部をさらに含んでもよい。
【００６５】
一方、上述した目的は、本発明により、ベースと、前記ベースに円板形状で設けられ、下部には前記ベースに向かって突出した棒形状の支持突起が形成された入力部（前記入力部は、基準位置から各第１方向指示位置に向かって水平移動する第１方向入力と、前記入力部が各第２方向指示位置に向かって傾く第２方向入力と、前記入力部上端の各第３方向指示位置を押す第３方向入力がそれぞれ独立的に実行可能なように設けられる）と、前記ベースと入力部の間に設けられて中央に前記支持突起が傾きが可能なように収容される収容溝が形成された支持部と、前記入力部の水平移動を感知する第１感知部と、前記入力部の傾き移動を感知する第２感知部と、前記第３方向入力を感知する第３感知部と、前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部とを含むデータ入力装置によっても達成される。
【００６６】
一方、上述した目的は、本発明により、ベースと、前記ベースに設けられた入力部（前記入力部は、基準位置から各第１方向指示位置に向かって水平移動する第１方向入力と、前記入力部の周縁に沿って各第２方向指示位置に設けられた押圧位置を選択する第２方向入力と、前記入力部の周縁に沿って前記第２方向指示位置と交差するように配置された各第３方向指示位置に設けられた押圧位置を選択する第３方向入力がそれぞれ独立的に実行可能なように設けられる）と、前記第１方向入力を感知する第１感知部と、前記第２方向入力を感知する第２感知部と、前記第３方向入力を感知する第３感知部と、前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部とを含むデータ入力装置によっても達成される。
【００６７】
前記入力部は、前記各第２方向指示位置に対応して押圧位置が突出した内側入力部と、前記各第３方向指示位置に対応して設けられた複数の外側入力部とを含んでもよい。
【００６８】
一方、上述した目的は、本発明により、ベースと、前記ベースに設けられた入力部（前記入力部は、基準位置から各第１方向指示位置に向かって水平移動する第１方向入力と、前記入力部が各第２方向指示位置に向かって傾く第２方向入力と、前記入力部が前記第２方向指示位置と交差するように配置された各第３方向指示位置に向かって傾く第３方向入力がそれぞれ独立的に実行可能なように設けられる）と、前記第１方向入力を感知する第１感知部と、前記第２方向入力を感知する第２感知部と、前記第３方向入力を感知する第３感知部と、前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部とを含むデータ入力装置によっても達成される。
【００６９】
前記入力部は、内側入力部と、前記内側入力部の縁部に沿って前記各第３方向指示位置に対応して設けられた複数の外側入力部と、前記内側入力部と各外側入力部の間に設けられた弾性体とを含んでもよい。
【００７０】
一方、上述した目的は、本発明により、ベースと、前記ベースに設けられ、基準位置から各第１方向指示位置に向かって水平移動する第１方向入力が実行される第１入力部と、中央から放射状に延長された複数の突起を有する星模様を有して前記第１入力部に設けられ、各突起に対応する第２方向指示位置に向かって傾く第２方向入力と、各突起に対応する第３方向指示位置で押しが可能な第３方向入力がそれぞれ独立的に実行可能なように設けられる第２入力部と、前記第１方向入力を感知する第１感知部と、前記第２方向入力を感知する第２感知部と、前記第３方向入力を感知する第３感知部と、前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部とを含むデータ入力装置によっても達成される。
【００７１】
前記外側入力部は６つの突起を有するが、４つは東西南北の４方向に延長し、残りの２つはそれぞれ東北および西北方向に延長形成されてもよい。
【００７２】
一方、上述した目的は、本発明により、ベースと、前記ベースに設けられた入力部（前記入力部は、ジェル（ＧＥＬ）タイプの弾性変形が可能な材質を含み、基準位置から前記入力部全体または一部が各第１方向指示位置に向かって水平移動する第１方向入力と、前記入力部の上端周縁に沿って各第２方向指示位置で押しによる局部変形が発生する第２方向入力と、前記入力部の周縁に沿って各第３方向指示位置に向かって前記入力部上端が傾く第３方向入力がそれぞれ独立的に実行可能なように設けられる）と、前記第１方向入力を感知する第１感知部と、前記第２方向入力を感知する第２感知部と、前記第３方向入力を感知する第３感知部と、前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部とを含むデータ入力装置によっても達成される。
【発明の効果】
【００７３】
したがって、本発明に係るデータ入力装置によれば、第１方向入力、第２方向入力、第３方向入力の３種類の入力動作を１つの入力部でそれぞれ独立的に実行することができるため、最小の入力空間で所望するすべての文字などのデータを１回の入力動作で迅速かつ正確に入力することができる。
【００７４】
また、本発明の他の目的は、前記第１方向入力、第２方向入力、および第３方向入力を独立的または組み合わせて用いることにより、３次元グラフィック作業または３次元地図（Ｍａｐ）作業などの多様な分野での活用が可能である。
【図面の簡単な説明】
【００７５】
【図１】本発明に係るデータ入力装置において第１方向入力、第２方向入力、および第３方向入力を説明するための概念図である。
【図２】本発明に係るデータ入力装置において第１方向入力、第２方向入力、および第３方向入力を説明するための概念図である。
【図３】本発明の第１実施形態に係るデータ入力装置の断面図である。
【図４】本発明の第２実施形態に係るデータ入力装置の断面図である。
【図５】本発明の第３実施形態に係るデータ入力装置の断面図である。
【図６】本発明の第４実施形態に係るデータ入力装置の断面図である。
【図７】本発明の一実施形態に係るデータ入力装置の断面図である。
【図８】本発明の一実施形態に係るデータ入力装置の断面図である。
【図９】本発明の第５実施形態に係るデータ入力装置の断面図である。
【図１０】本発明の入力部および移動支持部の具体的な実施形態を示す断面図である。
【図１１】本発明に係る外側入力部を示す断面図である。
【図１２】本発明に係る傾き防止爪を説明するための作動図である。
【図１３】本発明に係るデータ入力装置の多様な変形実施形態を示す断面図である。
【図１４】本発明に係るデータ入力装置の多様な変形実施形態を示す断面図である。
【図１５】本発明に係るデータ入力装置の多様な変形実施形態を示す断面図である。
【図１６】本発明に係るデータ入力装置の多様な変形実施形態を示す断面図である。
【図１７】本発明に係るデータ入力装置の多様な変形実施形態を示す断面図である。
【図１８】本発明の第２実施形態に係るデータ入力装置の断面図である。
【図１９】本発明の第３実施形態に係るデータ入力装置の断面図である。
【図２０】本発明の第３実施形態に係るデータ入力装置において入力部の入力動作を示す断面斜視図である。
【図２１】本発明の第３実施形態に係るデータ入力装置の変形例を示す断面斜視図である。
【図２２】本発明の第３実施形態に係る入力部の入力動作を示す作動図である。
【図２３】本発明に係るデータ入力装置の入力部側の拡大斜視図である。
【図２４】本発明に係るデータ入力装置の入力部側の拡大斜視図である。
【図２５】本発明の第４実施形態に係るデータ入力装置の断面図である。
【図２６】本発明の第５実施形態に係るデータ入力装置の断面図である。
【図２７】本発明の第６実施形態に係るデータ入力装置の断面図である。
【図２８】本発明の他の実施形態であって、移動、押し、押しで構成されたデータ入力装置の平面度および斜視図である。
【図２９】本発明の他の実施形態であって、移動、傾き、傾きで構成されたデータ入力装置の断面図である。
【図３０】本発明に係るデータ入力装置の多様な変形例を示す断面図である。
【図３１】本発明に係るデータ入力装置の多様な変形例を示す断面図である。
【図３２】本発明に係るデータ入力装置の多様な変形例を示す断面図である。
【図３３】本発明の第１実施形態に係るデータ入力装置の断面図である。
【図３４】本発明に係る入力部の多様な実施形態を示す断面図である。
【図３５】本発明に係る入力部の多様な実施形態を示す断面図である。
【図３６】本発明に係るデータ入力装置をマウスとして用いる場合の各機能を説明するための概念図である。
【図３７】タッチスクリーンで各方向入力例を説明するための概念図である。
【図３８】不動式における各方向入力別の圧力値例を示す表である。
【図３９】本発明に係るデータ入力装置の多様な変形例を示す断面図である。
【図４０】本発明に係るデータ入力装置の多様な変形例を示す断面図である。
【図４１】本発明に係るデータ入力装置をコントローラとして用いる場合を説明するための作動図である。
【図４２】本発明に係るデータ入力装置をコントローラとして用いる場合を説明するための作動図である。
【図４３】本発明に係るデータ入力装置を利用した派生語および予測語入力を説明するための概念図である。
【図４４】本発明に係るデータ入力装置を利用した派生語および予測語入力を説明するための概念図である。
【図４５】本発明の他の実施形態に係るデータ入力装置の斜視図である。
【図４６】本発明の他の実施形態に係るデータ入力装置の斜視図である。
【図４７】本発明の他の実施形態に係るデータ入力装置の斜視図である。
【発明を実施するための形態】
【００７６】
以下、添付の図面を参照しながら、本発明について詳細に説明する。
【００７７】
図１を参照すれば、本発明に係るデータ入力装置は、ベース１１０と、ベース１１０に設けられた入力部１０（前記入力部１０は、所定の入力半径内で基準位置Ｓから放射状に離隔配置された複数の第１方向指示位置ｍ１のうちのいずれか１つに水平移動する第１方向入力Ｍ１と、水平位置から基準位置Ｓを中心として放射状に離隔配置された複数の第２方向指示位置ｍ２のうちのいずれか１つに向かって入力部１０全体が傾き移動する第２方向入力Ｍ２と、入力部１０自体に放射状に離隔配置された複数の第３方向指示位置ｍ３のうちのいずれか１つを選択する第３方向入力Ｍ３がそれぞれ独立的に実行可能なように設けられる）と、入力部１０の水平移動を感知する第１感知部３１と、入力部１０の傾き移動を感知する第２感知部３２と、第３方向入力Ｍ３を感知する第３感知部３３と、第１感知部３１、第２感知部３２、および第３感知部３３の感知結果に基づいて各第１方向指示位置ｍ１に割り当てられた第１文字、第２方向指示位置ｍ２に割り当てられた第２文字、および第３方向指示位置ｍ３に割り当てられた第３文字をメモリ部から抽出して入力する制御部（図示せず）とを含む。
【００７８】
以下、構成別に詳しく説明する。
【００７９】
入力部１０はベース１１０に設けられ、第１方向入力Ｍ１、第２方向入力Ｍ２、および第３方向入力Ｍ３がそれぞれ独立的に実行可能なように設けられる。
【００８０】
第１方向入力Ｍ１は、図１の（ａ）に示すように、入力部１０がベース１１０に設けられた所定の入力半径内において、基準位置Ｓから基準位置Ｓを中心として放射状に離隔配置された複数の第１方向指示位置ｍ１のうちのいずれか１つに水平移動することによって実行される。
【００８１】
ここで、上述した水平移動とは、ベース１１０に対する厳密な意味での水平のみを意味するものではなく、入力部１０が基準位置Ｓから各第１方向指示位置ｍ１に向かって横方向に移動することをすべて含む。
【００８２】
第１方向指示位置ｍ１は、図２０に示すように、基準位置Ｓを中心として放射状に離隔配置され、各第１方向指示位置ｍ１には文字、記号、数字、機能命令などの各種データが割り当てられている。
【００８３】
第１方向指示位置ｍ１は必要に応じて多様な数で設けられてもよく、例えば、４個が設けられてもよく、８個が設けられてもよく、１２個が設けられてもよい。
【００８４】
また、第１方向指示位置ｍ１の数は、後述する第２方向指示位置ｍ２および第３方向指示位置ｍ３の数と同じであってもよく、異なってもよい。
【００８５】
第１感知部３１は、入力部１０の水平移動を感知するように設けられる。
【００８６】
第１感知部３１は多様な種類で設けられてもよいが、入力部１０の移動経路上に設けられ、入力部１０の移動時に入力部１０の接触を感知する接触センサとして設けられてもよく、入力部１０の加圧接触による圧力を感知する圧力センサとして設けられてもよく、光センサとして設けられてもよい。
【００８７】
これにより、制御部は、入力部１０の移動がどの第１感知部３１で感知されたかを判断し、該当する第１方向指示位置ｍ１に割り当てられた文字、記号、数字などをメモリ部から抽出して入力する。
【００８８】
一方、第１方向入力Ｍ１は、入力部１０が基準位置Ｓを中心として円周移動をしながら実行されてもよいが、この場合、有効な入力信号の選択方法は、最初または最終値のうちのいずれか１つのみを有効に判断してもよく、２つすべてを有効に判断してもよい。
【００８９】
一方、第１方向入力Ｍ１は、水平移動距離によって２段以上の多段入力が可能なように設けられてもよい。
【００９０】
多段入力であるか否かの判別は多様な方法によって実行が可能であるが、例えば、入力部１０の移動経路上に２つ以上の第１感知部３１を配置した場合には、入力部１０の移動が感知された第１感知部３１の数によって多段入力であるか否かを判別してもよい。また、第１感知部３１が圧力センサとして設けられた場合には、第１感知部３１に向かって加圧される加圧力の強度によって多段入力であるか否かを判別してもよい。
【００９１】
第２方向入力Ｍ２は、基準位置Ｓを中心として放射状に離隔配置された複数の第２方向指示位置ｍ２のうちのいずれか１つに向かって入力部Ｓ１０全体が傾き移動することによって実行される。
【００９２】
ここで、「傾き移動」とは、図１の（ｂ）および図２に示すように、入力部１０全体が所定の第２方向指示位置ｍ２に向かって傾きながら（入力部１０の中心点の移動が伴う）移動することをいう。
【００９３】
反面、第３方向入力Ｍ３でいう「傾き」とは、図１のＣおよび図２に示すように、入力部１０が中心を維持したままで所定の第３方向指示位置ｍ３に向かって傾くことをいう。
【００９４】
第２感知部３２が入力部１０の傾き移動を感知する方法は多様に設けられてもよいが、例えば、図２に示すように、入力部１０の縁部が傾き移動によって移動して接触することを感知してもよい。
【００９５】
一方、第２方向入力Ｍ２は、入力部１０の傾き移動の程度によって２段以上の多段入力が可能なように設けられるが、例えば、図２に示すような構成の場合、入力部１０の縁部に傾き移動程度によって順に第２感知部３２に接触するように段差を形成してもよく、入力部１０の傾き移動の加圧力の差によって多段入力を区分してもよい。
【００９６】
入力部１０の傾きは、具体的に図３４に示すように、例えば、逆三角形断面形状の入力部１０によって実現されてもよい。
【００９７】
この場合、逆三角形の頂点が移動支持部４３に固定され、各放射方向に傾いたり押したりする動作によって第２方向入力Ｍ２および第３方向入力Ｍ３が実行され、水平に押す動作によって第１方向入力Ｍ１が実行される。
【００９８】
また、入力部１０は、図３に示すように、下部面が上向湾曲した半円形状を有したり、図３５に示すように、「Ｕ」字形の下向湾曲した半円形状を有したりしてもよい。
【００９９】
入力部１０の下部面が「Ｕ」字形で設けられる場合、傾く面が他の実施形態とは異なって反対方向に形成され、図４０のように第２方向入力Ｍ２が実行される。
【０１００】
この場合、本発明がウェアラブルの入力装置として用いられる場合に、傾き移動が水平の下方向に進められるのではなく、上方向に押し上がりながら実行される。
【０１０１】
このような入力部１０の傾き移動は、接触センサだけでなく、光センサ、磁気センサなどの空間感知が可能な多様な感知部によって感知が可能であることはもちろんである。
【０１０２】
第３方向入力Ｍ３は、入力部１０自体に放射状に離隔配置された複数の第３方向指示位置ｍ３のうちのいずれか１つを選択することによって実行される。
【０１０３】
第３方向入力Ｍ３は多様な構成で設けられてもよいが、例えば、図１の（ｃ）に示すように、入力部１０が複数の第３方向指示位置ｍ３のうちのいずれか１つに向かって傾いて入力されてもよい。
【０１０４】
また、第３方向入力Ｍ３は、入力部１０に各第３方向指示位置ｍ３に対応して設けられた複数の押し部（図示せず、例えば押しボタンなど）のうちのいずれか１つを選択することによって実行されてもよい。
【０１０５】
押し部は多様な位置に設けられてもよく、入力部１０の上段、入力部１０と支持部４１の間、または支持部４１の下に設けられてもよい。
【０１０６】
第３感知部３３は第３方向入力Ｍ３の種類によって多様に設けられてもよいが、例えば、第３方向入力Ｍ３が押し部によって実行される場合には、入力部１０の該当する第３方向指示位置ｍ３に押しスイッチ、ラバードーム、圧力センサ、接触センサなどで設けられてもよく、第３方向入力Ｍ３が入力部１０の傾きによって実行される場合には、上述した第２感知部３２と同じように設けられてもよい。
【０１０７】
ここで、第３方向入力Ｍ３も、入力部１０の傾き角度または押し部１９の押し距離や押し圧力の強度によって２段以上の多段入力が可能なように設けられてもよいことはもちろんである。
【０１０８】
制御部は、第１感知部３１、第２感知部３２、および第３感知部３３の感知結果に基づいて各第１方向指示位置ｍ１に割り当てられた第１文字、各第２方向指示位置ｍ２に割り当てられた第２文字、および各第３方向指示位置ｍ３に割り当てられた第３文字をメモリ部（図示せずから抽出して入力する。
【０１０９】
上述した第１方向入力Ｍ１、第２方向入力Ｍ２、および第３方向入力Ｍ３はそれぞれ独立的に実行可能であるが、互いに順に実行されてもよく、同時に実行されてもよい。
【０１１０】
すなわち、本発明に係るデータ入力装置は、上述した３種類の入力動作（水平移動、傾き移動、押しまたは傾き）をすべて独立的に実行してもよい。
【０１１１】
したがって、水平移動、傾き移動、押しまたは傾きのうちのいずれか１つが所定の方向指示位置に実行された状態で、他の１つを同じまたは他の方向に実行してもよい。
【０１１２】
例えば、押しまたは傾き（第３方向入力Ｍ３）は、傾き移動（第２方向入力Ｍ２）が実行されない状態で実行されてもよく、傾き移動が所定の方向指示位置に実行された状態で他の方向指示位置に実行されてもよい。
【０１１３】
したがって、本発明に係るデータ入力装置は、子音＋母音＋子音などの３音素を１回の入力動作によって実行することができ、３次元コンテンツ操作時には、コンテンツの移動、３次元回転、拡大および縮小や平面回転を同時に実行することができる。
【０１１４】
図２０は、第１方向入力Ｍ１、第２方向入力Ｍ２、および第３方向入力Ｍ３がすべて実行された状態の入力部１０の断面斜視図である。
【０１１５】
図面を参照すれば、第１方向入力Ｍ１は第１方向指示位置ｍ１３方向に水平移動して実行され、第２方向入力Ｍ２は第２方向指示位置ｍ２１方向に入力部１０が傾き移動して第２突出部７２がベース１１０に接触した状態であり、第３方向入力Ｍ３は第３方向指示位置ｍ３３方向に入力部１０が傾いて第３突出部７３がベース１１０に接触した状態である。
【０１１６】
上述した第１方向指示位置ｍ１、第２方向指示位置ｍ２、または第３方向指示位置ｍ３に割り当てられるデータは、種類に制限なく設けられてもよい。
【０１１７】
例えば、ハングル文字、アルファベット、日本語文字などが割り当てられてもよく、記号や数字または各種機能命令が割り当てられてもよい。
【０１１８】
文字が割り当てられる場合には、母音文字と子音文字がそれぞれ他の方向指示位置に分割されて割り当てられてもよい。例えば、第１方向指示位置ｍ１、第２方向指示位置ｍ２、または第３方向指示位置ｍ３のうちのいずれか１つには母音文字が割り当てられ、残りの方向指示位置には子音文字が割り当てられてもよい。
【０１１９】
または、ハングル文字は第１方向指示位置ｍ１に、アルファベットは第２方向指示位置ｍ２に割り当てられ、日本語文字は第３方向指示位置ｍ３に割り当てられてもよい。
【０１２０】
この場合、各方向指示位置ｍ１、ｍ２、ｍ３の数および多段入力を活用すれば、割り当てられる文字の数を自由に調節することができる。
【０１２１】
例えば、第１方向指示位置ｍ１を８個とし、第１方向入力Ｍ１が２段で構成されれば、第１方向入力Ｍ１によって１６個の文字入力が可能となり、第２方向入力Ｍ２および第３方向入力Ｍ３も同じように構成すれば、合計４８個の文字入力が可能となる。
【０１２２】
一方、第１方向入力Ｍ１によっては文字入力を実行し、第２方向入力Ｍ２によっては数字入力をし、第３方向入力Ｍ３によっては記号および各種機能命令を実行してもよい。
【０１２３】
ここで、上述した各方向指示位置ｍ１、ｍ２、ｍ３への文字割り当て方法、方向指示位置の個数、および多段入力の可否は、必要に応じて多様に変形して用いてもよいことを明らかにする。
【０１２４】
中央入力Ｃは、入力部１０の中央に設けられた中央入力キー１７の選択または入力部１０全体がベース１１０に対して昇降のうちの１つ以上の方法によって実行される。
【０１２５】
中央入力キー１７は、図２に示すように、入力部１０の中央に設けられ、入力部１０とは別途に上下に昇降しながら中央入力Ｃを実行してもよい。
【０１２６】
または、図１８に示すように、入力部１０全体が上下に昇降しながら実行してもよい。
【０１２７】
一方、中央入力Ｃは、２段以上の多段入力が実行可能なように設けられてもよいが、上述した第１方向入力Ｍ１などで説明した多様な方法が用いられてもよい。
【０１２８】
中央組み合わせ入力ＣＭは中央入力Ｃと第１方向入力Ｍ１、中央入力Ｃと第２方向入力Ｍ２、または中央入力Ｃと第３方向入力Ｍ３が組み合わされて実行される。
【０１２９】
例えば、中央組み合わせ入力ＣＭは、図３３において、中央入力キー１７を押したままで第１方向入力Ｍ１または第２方向入力Ｍ２が実行されることをいい、図１８に示すデータ入力装置の場合には、入力部１０全体を下降させた後に水平移動、傾き移動、または傾きを実行することをいう。
【０１３０】
中央組み合わせ入力ＣＭが実行される場合には、第１方向指示位置ｍ１、第２方向指示位置、ｍ２、または第３方向指示位置ｍ３に本来割り当てられた文字とは異なった文字または機能命令が実行されてもよい。
【０１３１】
例えば、第１方向入力M１を単独で実行する場合にはハングル文字が入力されるようにし、中央入力Ｃと第１方向入力Ｍ１の組み合わせによってはアルファベットが入力されるなどがこれに該当する。
【０１３２】
したがって、本発明に係るデータ入力装置は、中央組み合わせ入力ＣＭによって新たなデータ入力が可能であるため、第１方向入力Ｍ１、第２方向入力Ｍ２、および第３方向入力Ｍ３に割り当てられる入力容量を２倍に拡張できるようになる。
【０１３３】
ここで、前記中央組み合わせ入力ＣＭは、中央入力Ｃと組み合わせられる各方向入力の順序によって互いに異なる入力信号が発生してもよい。
【０１３４】
例えば、中央入力Ｃを先に実行して方向入力を実行する場合と、方向入力を先に実行して中央入力Ｃを後に実行する場合では、それぞれ異なる入力信号が発生する。
【０１３５】
また、中央組み合わせ入力ＣＭは、中央入力Ｃと２つ以上の方向入力が組み合わせられるが、例えば、第１方向入力Ｍ１、中央入力Ｃ、第３方向入力Ｍ３順に組み合わせられてもよく、第２方向入力Ｍ２、中央入力Ｃ、第１方向入力Ｍ１順に組み合わせられてもよい。
【０１３６】
もちろん、中央組み合わせ入力ＣＭを構成する各入力動作、すなわち、中央入力Ｃ、第１方向入力Ｍ１、第２方向入力Ｍ２、または第３方向入力Ｍ３のうちの１つ以上は多段で構成されてもよいことはもちろんである。
【０１３７】
一方、本発明に係るデータ入力装置は、各方向入力が２つ以上組み合わせられる方向組み合わせ入力ＭＭが実行可能なように設けられてもよい。
【０１３８】
方向組み合わせ入力ＭＭとは、第１方向入力Ｍ１、第２方向入力Ｍ２、または第３方向入力Ｍ３のうちのいずれか１つが先に実行された状態で続いて他の１つが実行されるとき、新たな入力信号を発生させることをいう。
【０１３９】
例えば、１２時方向に第１方向入力Ｍ１を実行した状態で３時方向に第２方向入力Ｍ２を実行したり、６時方向に第２方向入力Ｍ２を実行した状態で９時方向に第３方向入力Ｍ３を実行する。
【０１４０】
方向組み合わせ入力ＭＭは、個別的な各入力動作に割り当てられた文字を順に入力するのではなく、２つ以上の入力動作によって新たな１つのデータを入力する。
【０１４１】
方向組み合わせ入力ＭＭは、組み合わせられた各方向入力の種類およびその組み合わせ順序によって異なる入力信号が発生してもよく、組み合わせられた各方向入力の種類が同じであれば同じ入力信号を発生させてもよい。
【０１４２】
または、方向組み合わせ入力ＭＭを構成する各入力動作が多段であるか否かによって異なる入力信号を発生させてもよい。
【０１４３】
すなわち、第１方向入力Ｍ１、１段の第２方向入力Ｍ２、第３方向入力Ｍ３によって組み合わせられた方向組み合わせ入力ＭＭと、第１方向入力Ｍ１、２段の第２方向入力Ｍ２、および第３方向入力Ｍ３によって組み合わせられた方向組み合わせ入力は互いに区別されてもよい。
【０１４４】
一方、入力部１０は、ベース１１０に２つ以上に設けられてもよい。
【０１４５】
入力部１０をベース１１０に左右に２つまたは上下に２つ設けてもよい。
【０１４６】
この場合、２つの入力部１０を介したデータ入力方法はより多様に構成されてもよい。例えば、左側の入力部１０によっては文字入力を実行し、右側の入力部１０によっては数字、記号、または各種機能命令を入力してもよい。
【０１４７】
または、文字入力をする場合にも、子音文字と母音文字をそれぞれ２つの入力部１０に分割して配置してもよい。
【０１４８】
以下、本発明の具体的な実施形態を、図面を参照しながら説明する。
【０１４９】
図３には、本発明の第１実施形態に係るデータ入力装置が示されている。
【０１５０】
図面を参照すれば、内側入力部１４は、例えば、円板形状で設けられ、上部面の周縁に沿って設けられた押圧位置によって第３方向入力Ｍ３が実行可能なように設けられてもよい。
【０１５１】
内側入力部１４の下部には移動支持部４３が設けられているが、移動支持部４３の上部面は上部に向かって湾曲した半円形状を有し、内側入力部１４の下部は移動支持部４３の上部面に対応する形状で設けられ、内側入力部１４が移動支持部４３の上部面に沿って傾きながら第２方向入力を実行できるように設けられる。
【０１５２】
このとき、第２方向入力Ｍ２は、内側入力部１４の縁部に沿って設けられた外側入力部１６によって実行される。
【０１５３】
外側入力部１６は各第２方向指示位置ｍ２別に分割され、複数で設けられてもよく、全体が一体型であるリング形状で設けられてもよい。
【０１５４】
一方、外側入力部１６の上部断面は、内側から外側に向かうほど上向傾斜するようにし、傾きが容易に実行されるようにすることが好ましい。
【０１５５】
ここで、前記湾曲した模様は上向湾曲であってもよく、図３５または図４０に示すように、下向湾曲であってもよいことはもちろんである。
【０１５６】
一方、第１方向入力Ｍ１は、内側入力部１４、外側入力部１６、および移動支持部４３全体が各第１方向指示位置ｍ１に向かって移動しながら実行される。
【０１５７】
図４には、本発明の第２実施形態に係るデータ入力装置が示されている。
【０１５８】
図４の（ａ）を参照すれば、第１実施形態と同様に、内側入力部１４の外部に外側入力部１６が設けられており、第３感知部３３は外側入力部１６に設けられており、外側入力部１６を押して第３方向入力を実行するように設けられる。
【０１５９】
一方、第２感知部３２は内側入力部１４に設けられており、内側入力部１４を傾けて実行される。
【０１６０】
また、第１方向入力Ｍ１は、内側入力部１４、外側入力部１６、および移動支持部４３全体を水平移動して実行される。
【０１６１】
一方、図４の（ｂ）に示すように、内側入力部１４の外部に第１外側入力部１６ａと第２外側入力部１６ｂが備えられて第１〜第３方向入力が実行されるように設けられてもよい。すなわち、第１方向入力は、前記内側入力部１４を水平移動して実行され、第２方向入力は前記第２外側入力部１６ｂを傾き移動して実行され、第３方向入力は前記第２外側入力部１６ｂを押して第１外側入力部１６ａが共に押されるようにして実行される。
【０１６２】
図５には、本発明の第３実施形態に係るデータ入力装置が示されている。
【０１６３】
図面を参照すれば、本実施形態では、第２感知部３２と第３感知部３３が一体形になっており、入力部１０を各第２方向指示位置ｍ２に向かって傾ければ第２感知部３２が傾きながら第２方向入力Ｍ２が実行され、入力部１０の周縁に位置した各押圧位置を押せば第３方向入力Ｍ３が実行される。
【０１６４】
同じように、入力部１０全体を各第１方向指示位置ｍ１に向かって水平移動させれば、第１方向入力Ｍ１が実行される。
【０１６５】
図６には、本発明の第４実施形態に係るデータ入力装置が示されている。
【０１６６】
図面を参照すれば、本実施形態でも、押しを感知する第３感知部３３と、傾きを感知する第２感知部３２が一体形で設けられる。
【０１６７】
したがって、入力部１０全体を各第１方向指示位置ｍ１に向かって押せば第１方向入力Ｍ１が実行され、入力部１０の周縁に位置した押圧位置を押せば第３方向入力Ｍ３が実行され、入力部１０を各第２方向指示位置ｍ２に向かって傾ければ第２方向入力Ｍ２が実行される。
【０１６８】
図７は、本発明の他の実施形態に係るデータ入力装置を示す図である。
【０１６９】
図面を参照すれば、移動支持部４３の下部には各第３方向指示位置ｍ３に対応して押しを感知する第３感知部３３が設けられており、第１入力部１１の周縁には各第２方向指示位置ｍ２に対応して第２感知部３２が設けられている。
【０１７０】
一方、第１入力部１１の上部にはリング形態の第２入力部１３が設けられており、第２方向入力Ｍ２時に第２入力部１３が傾斜面に沿って傾きながら第２感知部３２に接触すれば、第２方向入力Ｍ２が実行されるようになっている。
【０１７１】
一方、第１方向入力Ｍ１は、入力部１０全体が水平方向に移動することによって実行される。
【０１７２】
図８は、本発明の他の実施形態に係るデータ入力装置の断面図である。
【０１７３】
図面を参照すれば、入力部１０は円板形状で設けられ、下部面の中央にはベース１１０に向かって突出した棒状の支持突起１８が設けられている。
【０１７４】
一方、入力部１０の下部には、支持突起１８が傾きが可能なように収容される移動支持部４３が設けられている。これにより、移動支持部４３の収容溝が支持突起１８の傾きを安全にガイドする。
【０１７５】
一方、第１方向入力Ｍ１は、入力部１０と移動支持部４３全体が水平方向に移動することによって実行され、第２方向入力Ｍ２は入力部１０の傾きによって実行され、第３方向入力Ｍ３は入力部１０の第３方向指示位置を押すことによって実行される。
【０１７６】
図９は、本発明の第４実施形態に係るデータ入力装置を示す図である。
【０１７７】
図面を参照すれば、入力部１０は中央に「工」字形状で設けられた中央の入力部１０ａと、円板形状の上段および下段入力部１０ｂ、１０ｃとで構成されており、中央の入力部１０ａは弾性体５６によってそれぞれ上段および下段の入力部１０ｂ、１０ｃと連結している。
【０１７８】
これにより、第１方向入力Ｍ１を実行するときには３つの入力部１０ａ、１０ｂ、１０ｃが一体で水平移動し、第２方向入力Ｍ２を実行するときには中央の入力部１０ａが傾きながら移動支持部４３の上段に設けられた第２感知部３２に感知されて実行される。
【０１７９】
一方、第３方向入力Ｍ３は、上段の入力部１０ｂを押せば下段の入力部１０ｃに設けられた第３感知部３３に接触感知されながら実行される。
【０１８０】
図１０には、本発明の具体的な実施形態が示されている。
【０１８１】
図面を参照すれば、入力部１０の外側縁部には第２突出部７２が形成されており、第２方向入力Ｍ２時に第２突出部７２が傾きながら移動支持部４３に設けられた第２感知部３２に接触しながら第２方向入力Ｍ２が実行される。
【０１８２】
このとき、第２突出部７２の一側には支持ステップ突起１８ａが形成され、移動支持部４３には支持ステップ１８ｂが形成されており、第３方向入力Ｍ３によって入力部１０の周縁を押す場合に第２突出部７２が下降しながら第２感知部３２に接触し、第２方向入力Ｍ２が実行されることを防ぐようにする。
【０１８３】
したがって、支持ステップ１８ｂによって第２方向入力Ｍ２と第３方向入力Ｍ３を極めて効果的に区分して入力することができる。
【０１８４】
一方、入力部１０の下部面には周縁に沿って第３突出部７３が形成され、第３突出部７３に対応する移動支持部４３の上面には第３方向入力Ｍ３時に第３突出部７３が下降して接触する第３感知部３３が設けられる。
【０１８５】
また、入力部１０の下部面中央には、中央入力Ｃのために移動支持部４３に設けられた中央入力感知部３５に向かって突出した第３突出部７３が設けられる。
【０１８６】
第１方向入力Ｍ１は入力部１０と移動支持部４３全体が水平移動しながら実行され、これを感知するために、ベース１１０の内側縁部には移動支持部４３の接触を感知する第１感知部３１が設けられる。
【０１８７】
図１１には、本発明の他の実施形態に係るデータ入力装置が示されている。
【０１８８】
図面を参照すれば、入力部１０は、下部面が湾曲した形状を有するキャップ形状の第１入力部１１と、第１入力部１１の上部面に周縁に沿って設けられた複数の第２入力部１３とを含む。
【０１８９】
ここで、第２入力部１３は、全体が連結して一体型のリング形状で設けられてもよいことはもちろんである。
【０１９０】
これにより、第２方向入力Ｍ２は第１入力部１１と第２入力部１３が同時に傾きながら実行され、第３方向入力Ｍ３は各第２入力部１３を押して実行する。
【０１９１】
このとき、第１入力部１１と第２入力部１３の間には弾性体５６が設けられており、第２方向入力Ｍ２と第３方向入力Ｍ３を区分すると同時に、第３方向入力Ｍ３実行後に第２入力部１３を元の位置に復帰させる機能を実行する。
【０１９２】
図１２には、本発明の他の実施形態に係るデータ入力装置が示されている。
【０１９３】
図面を参照すれば、入力部１０は傾きによって第２方向入力Ｍ２を実行する第１入力部１１と、第１入力部１１の上部に設けられて傾きまたは押しによって第３方向入力Ｍ３を実行する第２入力部１３とが設けられている。
【０１９４】
これにより、第３方向入力Ｍ３を実行するときには、図１２の（ａ）に示すように、第１入力部１１は水平位置を維持して第２入力部１３のみが傾き（または押され）、第２方向入力Ｍ２を実行するときには、図１２の（ｂ）に示すように、第１入力部１１と第２入力部１３が同時に傾く。
【０１９５】
このとき、第３方向入力Ｍ３時に第１入力部１１が傾くことを防ぐために、第１入力部１１の縁部には傾き防止爪１８ｃがさらに設けられる。
【０１９６】
したがって、押し（第３方向入力Ｍ３）の場合には傾き防止爪１８ｃによって傾き（第２方向入力Ｍ２）が固定され、第２方向入力Ｍ２を実行するときにのみ第１入力部１１を各第２方向指示位置ｍ２に傾ければ傾き防止爪１８ｃが解除（または離脱）されながら傾きが実行される。
【０１９７】
このような構成は、上述した第３実施形態において、第２方向入力Ｍ２と第３方向入力Ｍ３を互いに区分するときに容易である。
【０１９８】
図１３には、第３実施形態をより具体的に説明するためのデータ入力装置が示されている。
【０１９９】
図面を参照すれば、第２方向入力Ｍ２と第３方向入力Ｍ３の実行は上述した第３実施形態と同じであるが、本実施形態では、第１入力部１１下段の弾性体５６が傾き動作時に弾性変形しながら第１入力部１１が下降する。
【０２００】
これは、第１入力部１１を所定の方向に水平移動した後に移動方向の反対方向に傾くときにより効果的である。例えば、本発明に係るデータ入力装置を利用して３次元ゲームを実行するとき、ゲームキャラクタの移動を入力部１０の水平移動で操作し、ゲームキャラクタの視線処理を入力部１０の傾きで操作するときに、ゲームキャラクタを北方向に移動した後に空を見つめるとき南方向に傾くときに用いることができる。
【０２０１】
図１４には、本発明に係るデータ入力装置において、傾きによる第２方向入力Ｍ２と押しによる第３方向入力Ｍ３を区別して入力するための構成が示されている。
【０２０２】
図面を参照すれば、入力部１０の下段に第３弾性体５６ｃを設け、移動支持部４３には突起５４、第１弾性体５６ａ、および第３弾性体５６ｃを設けることにより、押しによる第３方向入力Ｍ３を実行するときには突起５４が第２弾性体５６ｂと第３弾性体５６ｃの高さの差によって係止するようになって傾きが実行されないようにし、第２方向入力Ｍ２実行時には入力部１０を下方に加圧して突起５４を移動支持部４３内部に収容させる一方、第２弾性体５６ｂを弾性変形させて第２弾性体５６ｂと第３弾性体５６ｃの高さの差を減らすことにより、入力部１０が突起５４に係止せずに傾きが実行されるようにする。
【０２０３】
一方、上述した構造は、傾きと押しの区別だけでなく、入力部１０を傾けるときにクリック感を与えられる効果がある。
【０２０４】
図１５には、上述した第４実施形態において、第３方向入力Ｍ３による押し点と第２方向入力Ｍ２による傾き点が若干異なる例である。
【０２０５】
図面を参照すれば、入力部１０は、上部に中央を中心として所定の厚さだけシワが形成されている。したがって、第３方向入力Ｍ３を実行するときには入力部１０の前記シワ形成部位を押して実行し、第２方向入力Ｍ２を実行するときには前記シワ形成部位を加圧して入力部１０が傾くようにする。
【０２０６】
図１６には、第２方向入力Ｍ２による傾き点と第３方向入力Ｍ３による押し点が同じ場合のデータ入力装置が示されている。
【０２０７】
図面を参照すれば、移動支持部４３には入力部１０に向かって弾性突起４３ａが設けられており、弾性突起４３ａと入力部１０の間には上向湾曲した形状の半円支持部４３ｂが設けられている。
【０２０８】
これにより、図１６の（ｂ）に示すように、第３方向入力Ｍ３実行時には押し圧力によって弾性突起４３ａで半円支持部４３ｂがそのまま下降して第３感知部３３に接触し、第２方向入力Ｍ２実行時には入力部１０を傾き方向に半円支持部４３ｂが所定の角度だけ回動しながら第２感知部３２に接触する。
【０２０９】
図１７には、移動支持部４３の下に弾性体５６を介在することにより、第３方向入力Ｍ３時に入力部１０の所定の方向を押すようになれば、移動支持部４３自体が弾性体５６によってより傾くようになる例を示す。この場合、移動支持部４３がベース１１０から所定の間隔だけ離隔するため、第１方向入力Ｍ１を実行する方向と正反対の方向に第２方向入力Ｍ２を共に実行するとき、例えば、入力部１０を北側方向に移動させた状態で南側方向に傾きを実行するときにより円滑に実行することができる。
【０２１０】
図１８には、本発明の他の実施形態に係るデータ入力装置が示されている。
【０２１１】
図面を参照すれば、入力部１０の下部とベース１１０の間に入力部１０に向かって湾曲した半球形状の支持部４１が設けられる。
【０２１２】
このとき、入力部１０は支持部４１の上部面に対応する下部接触面を有し、支持部４１に沿って傾き移動する第１入力部１１と、第１入力部１１の上部面に載置して第１入力部１１の上部面に沿って水平移動する第２入力部１３とを含む。
【０２１３】
すなわち、第１入力部１１の下部面は支持部４１の湾曲面に対応する形状で設けられ、湾曲面に沿って移動しながら傾き移動が実行され、第１入力部１１の上部面は第２入力部１３が水平移動が可能なように平たい面で形成される。
【０２１４】
ここで、前記第１入力部１１の上部面は第２入力部１３の水平移動が可能なように多様に設けられてもよいが、例えば、第１入力部１１の上部面を凹むように形成し、第１入力部１１の傾き時にユーザが第２入力部１３の滑り（水平移動）を意図としない限り、第２入力部１３が第１入力部１１に対して相対移動しないようにしてもよい。この場合、第２入力部１３の水平移動を実行するためには、第２入力部１３が第１入力部１１から所定の間隔で離隔した後に移動してもよい。
【０２１５】
これにより、第２方向入力Ｍ２時には第１入力部１１と第２入力部１３が一体に傾き移動したり、第２方向入力Ｍ２時には第１入力部１１は元の位置にいて第２入力部１３のみが第１入力部１１上で水平移動する。
【０２１６】
支持部４１の下部には、第３方向指示位置ｍ３に対応して突出し、第３方向入力Ｍ３時に移動して第３感知部３３に接触する第３突出部７３が設けられる。
【０２１７】
また、支持部４１の下部には、入力部１０の中央に対応してベース１１０に向かって突出し、中央入力Ｃ時に中央入力感知部３５に接触する中央突出部７５が設けられる。
【０２１８】
第１感知部３１は、第２入力部１３の水平移動時に第２入力部１３の縁部が接触するように各第１方向指示位置ｍ１に対応してベース１１０の内側縁部に配置される。
【０２１９】
第２感知部３２は、第１入力部１１の傾き移動時に第１入力部１１の縁部が接触するように各第２方向指示位置ｍ２に対応してベース１１０の底面に配置される。
【０２２０】
このとき、第１入力部１１と第２入力部１３の間に設けられ、第１入力部１１の傾き移動または第２入力部１３の水平移動が選択的に実行されるようにする入力転換部５３をさらに含んでもよい。
【０２２１】
入力転換部５３は多様に設けられてもよいが、例えば、図１８に示すように、第１入力部１１の上部中央または一側に１つ以上の収容溝５５を形成し、収容溝５５に対応する第２入力部１３の下部面には突起５４を形成し、突起５４と収容溝５５の間には突起５４を収容溝５５外部に押し出す弾性体５６を設けてもよい。
【０２２２】
これにより、第１方向入力Ｍ１を実行するときには突起５４が弾性体５６に押されて収容溝５５外部に位置した状態であるため、第２入力部１３が第１入力部１１に対して水平移動が可能なようになり、第２方向入力Ｍ２を実行するときには第２入力部１３を下方に向かって加圧し、突起５４が収容溝５５に収容されれば第２入力部１３が第１入力部１１に対して固定されるため、第１入力部１１と第２入力部１３が同時に傾き移動が可能なようになる。
【０２２３】
図１９〜図２１には、本発明の多様な実施形態に係るデータ入力装置が示されている。
【０２２４】
図面を参照すれば、本発明に係るデータ入力装置は、入力部１０の下部とベース１１０の間に入力部１０に向かって湾曲した半球形状を有し、第１方向入力Ｍ１時に入力部１０と共に水平移動する移動支持部４３を含む。
【０２２５】
本実施形態に係る移動支持部４３は、第１方向入力Ｍ１時に入力部１０と共に水平移動するという点において、図１８に示す実施形態における支持部４１と差がある。
【０２２６】
移動支持部４３の下部には、ベース１１０に配置された第３感知部３３に向かって突出した第３突出部７３と、中央入力感知部３５に向かって突出した中央突出部７５とが形成される。
【０２２７】
このとき、入力部１０は、移動支持部４３の上部面の形状に対応する下部接触面が形成され、移動支持部４３に沿って傾き移動して第２方向入力Ｍ２が実行される。
【０２２８】
図２２を参照すれば、本実施形態に係るデータ入力装置は、入力部１０の水平移動による第１方向入力Ｍ１と傾き移動による第２方向入力Ｍ２がそれぞれ独立的に順にまたは同時に実行可能なように設けられる。
【０２２９】
すなわち、図２２の（ａ）は、入力部１０が先に傾き移動して第２方向入力Ｍ２が実行された後に傾き移動した状態で水平移動しながら第１方向入力Ｍ１が実行されたことを示すものであり、図２２の（ｂ）は、入力部１０の水平移動による第１方向入力Ｍ１が先に実行されて続いて傾き移動による第２方向入力Ｍ２が実行される過程を示すものである。
【０２３０】
図２２の（ｃ）は、スティック形態の支持部４３によって支持された入力部１０で水平移動および傾き移動の例を示すものであって、支持部４３とは、入力部１０の具体的な形状と関係なく、本明細書で定義した水平移動および傾き移動が多様に変更されることを示すものである。
【０２３１】
入力部１０の縁部には、各第２方向指示位置ｍ２に対応して第２感知部３２に向かって突出した第２突出部７２がさらに設けられる。
【０２３２】
この場合、第１方向入力Ｍ１時に入力部１０が移動支持部４３上で傾き移動にしないようにする入力転換部５３がさらに設けられてもよい。入力転換部５３は多様な構成で設けられてもよいが、例えば、上述した第２実施形態における構成が同じように適用されてもよい。
【０２３３】
入力部１０の縁部には、図２０および図２１に示すように、第２突出部７２がさらに設けられてもよい。または、第２感知部３２も、図２１に示すように、ベース１１０ではなく移動支持部４３に設けられてもよい。
【０２３４】
一方、図２１に示すように、移動支持部４３とベース１１０の間に設けられ、第１方向入力Ｍ１時に入力部１０および移動支持部４３を基準位置Ｓに復帰するようにするリターン部材５１をさらに含んでもよい。
【０２３５】
図２５を参照すれば、本発明に係るデータ入力装置は、ベース１１０と、ベース１１０に設けられて第１方向入力Ｍ１と、第３方向入力Ｍ３と、中央入力Ｃがそれぞれ独立的に実行可能なように備えられる入力部１０と、入力部１０の下部とベース１１０の間に設けられて入力部１０の水平移動および傾きを支持する支持部４１と、第１方向入力Ｍ１を感知する第１感知部３１と、第３方向入力Ｍ３を感知する第３感知部３３と、中央入力Ｃを感知する中央入力感知部３５と、制御部とを含む。
【０２３６】
ここで、第１方向入力Ｍ１は入力部１０が支持部４１の上部面に沿って水平移動しながら実行され、第３方向入力Ｍ３は入力部１０の傾きによって支持部４１の下部に設けられた第３突出部７３が第３感知部３３に接触することによって実行される。
【０２３７】
一方、本実施形態における中央入力Ｃは、入力部１０がベース１１０に対して昇降して実行される。
【０２３８】
支持部４１は、下部に前記入力部１０の中心からベース１１０に向かって突出した中央突出部７５と、各第３方向指示位置ｍ３に対応する位置からベース１１０に向かって突出した第３突出部７３とが設けられている。
【０２３９】
第１感知部３１は、ベース１１０の内側縁部に沿って各第１方向指示位置ｍ１に対応して設けられ、第１方向入力Ｍ１時に入力部１０の接触を感知する。
【０２４０】
ここで、入力部１０の縁部に沿って各第１感知部３１に向かって突出した第１突出部７１をさらに含んでもよい。
【０２４１】
また、入力部１０とベース１１０の間には、第１方向入力Ｍ１時に入力部１０を前記基準位置Ｓに復帰するようにするリターン部材５１がさらに設けられてもよい。
【０２４２】
第３感知部３３は第３方向入力Ｍ３時に第３突出部７３の接触を感知し、中央入力感知部３５は中央入力Ｃ時に中央突出部７５の接触を感知する。
【０２４３】
図２６および図２７を参照すれば、本発明に係るデータ入力装置は、ベース１１０と、ベース１１０に設けられて第１方向入力Ｍ１と、第３方向入力Ｍ３がそれぞれ独立的に実行可能なように設けられた入力部１０と、入力部１０の下部とベース１１０の間に設けられて入力部１０の水平移動および傾きを支持する支持部４１と、一端が入力部１０の下部に延長されたロード１５と、ロード１５の他端に設けられて入力部１０の水平移動によるロード１５の移動方向を感知する第１感知部３１と、支持部４１の下部に各第３方向指示位置ｍ３に対応して設けられて第３方向入力Ｍ３時に支持部４１と接触する第３感知部３３と、制御部とを含む。
【０２４４】
本実施形態において、第１方向入力Ｍ１は、入力部１０が支持部４１の上部面に沿って水平移動しながら実行される。
【０２４５】
この場合、入力部１０の下部にはロード１５の一端が連結しており、入力部１０が所定の方向に移動した場合、入力部１０の移動方向がロード１５を介して第１感知部３１に伝達される。
【０２４６】
一方、支持部４１は、入力部１０の水平移動および傾き（または押し）を支持するように設けられる。
【０２４７】
支持部４１は多様な形状で設けられてもよいが、図２６に示すように、リング形状または各第３方向指示位置ｍ３ごとに分割された扇形形状の板で設けられてもよく、図２７に示すように、円板形状で設けられてもよい。
【０２４８】
これにより、入力部１０が所定の第３方向指示位置ｍ３に向かって傾いたり押されたりする場合、支持部４１もこれに伴って傾いたり押されたりするようになり、支持部４１の下部に位置した第３感知部３３がこれを感知する。
【０２４９】
一方、支持部４１が分割された板で設けられる場合には、入力部１０の傾きによって押されて押し部のように下部に移動して第３感知部３３に接触してもよい。
【０２５０】
図２８は、本発明の他の実施形態に係るデータ入力装置を示す図である。
【０２５１】
本実施形態では、上述した実施形態とは異なり、第１方向入力Ｍ１は入力部１０の水平移動によって実行され、第２方向入力Ｍ２および第３方向入力Ｍ３はすべて入力部１０の押しによって実行される。
【０２５２】
入力部１０は、例えば、Ｘ字形態で４つの延長部が形成された内側入力部１４と、前記延長部の間にそれぞれ設けられた４つの外側入力部１６とで構成されてもよい。
【０２５３】
これにより、第１方向入力Ｍ１を実行するときには内側入力部１４と外側入力部１６全体が水平移動しながら実行され、第２方向入力Ｍ２を実行するときには内側入力部１４の各延長部を押して実行し、第３方向入力Ｍ３を実行するときには外側入力部１６を押して実行する。
【０２５４】
ここで、第２方向入力Ｍ２と第３方向入力Ｍ３は内側入力部１４の延長部と外側入力部１６を同時に押して実行してもよいため、例えば、内側入力部１４の水平移動状態で一方向を押し、第２方向入力Ｍ２を実行すると同時に他の方向の外側入力部１６を押すことが可能である。
【０２５５】
図２９には、本発明の他の実施形態に係るデータ入力装置が示されている。
【０２５６】
本実施形態に係るデータ入力装置は、第１方向入力Ｍ１は内側入力部１４の水平移動によって、第２方向入力Ｍ２は内側入力部１４の傾きによって、第３方向入力Ｍ３は外側入力部１６の傾きによって実行される。
【０２５７】
すなわち、第３方向入力Ｍ３時には内側入力部１４の上部周縁に沿って設けられた外側入力部１６を傾けて（図２９の右側参照）実行する。
【０２５８】
ここで、弾性体５６は、第２方向入力Ｍ２と第３方向入力Ｍ３を区分すると同時に、第３方向入力Ｍ３実行後に外側入力部１６を元の位置に復帰させる機能を実行する。
【０２５９】
図３０は、本発明の他の実施形態に係るデータ入力装置を示す図である。
【０２６０】
図面を参照すれば、円板形状の第１入力部１１は、前後左右に水平移動しながら第１方向入力を実行し、第１入力部１１に設けられた星模様の第２入力部１３は各突起方向に傾きながら第２方向入力Ｍ２を実行し、押しよって第３方向入力Ｍ３を実行する。
【０２６１】
ここで、第２入力部１３は多様な数の突起を有してもよく、例えば、図面に示すように、５個の突起を有する場合には、押しに５個の入力信号、移動によって５個の入力信号、傾きによって５個の入力信号を発生させてもよい。
【０２６２】
したがって、入力部１０を２個で設ければ、合計３０個の入力信号を発生させることができる。
【０２６３】
また、突起の数は同じであっても傾きと押しの数は異なってもよい。例えば、図面に示す場合において、押しによる第３方向入力Ｍ３は４個の突起のうちのいずれか１つを除いた４個のみで実行されるようにし、傾きによる第２方向入力Ｍ２は５個すべてで実行されてもよい。
【０２６４】
一方、第２入力部の突起方向は多様に設けられてもよい。
【０２６５】
例えば、図３１に示すように、東西南北の４個の突起と、北東および北西の２個の突起を追加して合計６個の突起が設けられてもよい。
【０２６６】
この場合、東、西、南、北の４個の突起方向に水平移動によってはゲームキャラクタの移動を実行し、東西南北４個の突起方向への傾き（第２方向入力Ｍ２）によってはゲームキャラクタの視線処理を実行し、各突起方向への押し（第３方向入力Ｍ３）によっては各種操作命令を実行してもよい。
【０２６７】
ここで、上述した各方向入力による操作例は、必要に応じて互いに変更または交換が可能であることはもちろんである。
【０２６８】
図３２には、本発明の他の実施形態に係るデータ入力装置例が示されている。
【０２６９】
本実施形態に係るデータ入力装置は、入力部１０が弾性変形による信号入力が可能なジェル（ＧＥＬ）タイプで設けられる。
【０２７０】
したがって、第１方向入力Ｍ１は、図３２の（ａ）および（ｂ）に示すように、入力部１０全体の水平移動または一部の移動によって、第２方向入力Ｍ２は入力部１０の傾きによって、第３方向入力Ｍ３は入力部１０上部の一領域の押し変形によって実行される。
【０２７１】
一方、図３２の（ｅ）は、第１方向入力Ｍ１と第２方向入力Ｍ２および第３方向入力Ｍ３が同時に実行された例を示す。
【０２７２】
図３３は、上述したジェルタイプのデータ入力装置の変形した実施形態を示す。
【０２７３】
図面を参照すれば、データ入力装置は、第１弾性部材６１と第２弾性部材６２とを含む。
【０２７４】
第１弾性部材６１は、入力部１０の下部とベース１１０の間に設けられて入力部１０が上部面に沿って水平移動するように支持し、入力部１０の傾き移動時に入力部１０を初期位置に復帰するようにする。
【０２７５】
第１弾性部材６１の上部面は平らに設けられており、入力部１０が水平移動が可能なように載置している。
【０２７６】
これにより、入力部１０は、第１弾性部材６１の上部面に沿って各第１方向指示位置ｍ１への移動が可能である。
【０２７７】
一方、第２弾性部材６２は、入力部１０の縁部とベース１１０の間に設けられ、入力部１０の水平移動時に入力部１０を初期位置に復帰するようにする。
【０２７８】
ここで、第１弾性部材６１および第２弾性部材６２は、多様な材質および形状で設けられてもよい。
【０２７９】
ベース１１０の内側縁部には、各第１方向指示位置ｍ１に対応して第１感知部３１が設けられている。
【０２８０】
一方、第２弾性部材６２の縁部には、各第１感知部３１に対応して突出した第１突出部７１が設けられる。第１突出部７１は、入力部１０の水平移動時に入力部１０によって移動（加圧）して第１感知部３１に接触する。
【０２８１】
または、第１感知部３１を圧力センサとして設ける場合には、第１突出部７１を別途に形成せず、入力部１０とベース１１０の間を第２弾性部材６２で満たし、入力部１０の水平移動時に第２弾性部材６２を介して伝達される加圧力を感知するようにしてもよい。
【０２８２】
ベース１１０には、各第２方向指示位置ｍ２に対応して第２感知部３２と、第３方向指示位置ｍ３に対応して第３感知部３３と、中央入力キー１７の下部に対応して中央入力感知部３５とが配置される。
【０２８３】
第１弾性部材６１の下側縁部には、各第２感知部３２に対応して突出した第２突出部７２が設けられる。
【０２８４】
これにより、第２突出部７２は、入力部１０の傾き移動時に入力部１０によって移動（加圧）して第２感知部３２に接触し、第２方向入力Ｍ２が実行された後には第１弾性部材６１の弾性力によって入力部１０が初期位置に復帰するようになる。
【０２８５】
第１弾性部材６１の下部には、各第３感知部３３に対応して突出した第３突出部７３が設けられる。第３突出部７３は、入力部１０の傾き時に入力部１０によって移動（加圧）して第３感知部３３に接触する。
【０２８６】
一方、第１弾性部材６１の下部には、中央入力キー１７の下部に対応して突出した中央突出部７５が設けられる。中央突出部７５は、中央入力Ｃ時に中央入力感知部３５に向かって移動して接触する。
【０２８７】
ここで、中央突出部７５と第３突出部７３の間には、通常、各突出部が感知部に接触することを防ぐための支持台４５がさらに設けられてもよい。この場合、支持台４５は、中央入力Ｃまたは第３方向入力Ｍ３時に歪むことができるように弾性材質を含むことが好ましい。
【０２８８】
一方、本発明に係るデータ入力装置は、上述した文字、数字、記号などのデータ入力以外にも多様な領域での活用が可能である。
【０２８９】
例えば、本発明に係るデータ入力装置を利用して３次元のグラフィック作業（例えば、各種設計プログラムを利用して３次元物体形状を製作するなど）を実行してもよい。
【０２９０】
図２３を参照すれば、例えば、第１方向入力Ｍ１によってはマウスのドラッグのようにオブジェクトの前後左右移動操作を実行し、左右方向の第３方向入力Ｍ３１によってはオブジェクトの拡大および縮小操作を実行してもよい。
【０２９１】
また、前後方向の第３方向入力Ｍ３２によってはモニタ平面の法線を軸として時計または反時計方向へのオブジェクト平面回転を実行し、第２方向入力Ｍ２によってはオブジェクトの３次元回転操作を実行してもよい。
【０２９２】
このとき、入力部１０の上段には縁部に沿って複数のタッチ感知部３７が設けられてもよいが、タッチ感知部３７の連続的なタッチ方向（Ｒ参照）に沿って前記平面回転操作が実行されてもよい。
【０２９３】
または、入力部１０は、基準位置（Ｓ）を通過するベース１１０面の法線を軸として左右回転（Ｒ参照）が可能なように設けられてもよいが、この場合、入力部１０の回転によって前記オブジェクトの平面回転操作が実行されてもよい。
【０２９４】
さらに他の活用例として、本発明に係るデータ入力装置を利用して３次元グーグルアース（Ｇｏｏｇｌｅ  ｅａｒｔｈ）のような３次元地図（Ｍａｐ）探索作業を実行してもよいが、図２４を参照すれば、例えば、第１方向入力Ｍ１によってはマウスポインタの移動操作を実行してもよい。
【０２９５】
また、左右方向の前記第３方向入力Ｍ３１によってはマウスの左右ボタン操作を、前後方向の第３方向入力Ｍ３２によっては前記地図の拡大または縮小操作を実行してもよく、第２方向入力Ｍ２によっては前記地図の３次元傾き操作を実行してもよい。
【０２９６】
この場合、中央入力Ｃが実行された状態で第１方向入力Ｍ１が実行される場合、前記地図の移動操作（すなわち、マウス左ボタンを押したままでドラッグ）が実行されてもよい。
【０２９７】
一方、この場合にも入力部１０の上段には縁部に沿って複数のタッチ感知部３７が設けられてもよいが、タッチ感知部３７の連続的なタッチ方向によって前記地図の時計または反時計方向への平面回転操作が実行されてもよい。
【０２９８】
または、入力部１０は、基準位置Ｓを通過するベース１１０面の法線を軸として左右回転が可能なように設けられてもよいが、入力部１０の回転によって前記地図の時計または反時計方向への平面回転操作が実行されてもよい。
【０２９９】
ここで、上述した２種類の実施形態は、本発明に係るデータ入力装置の具体的な活用例に過ぎず、多様な分野における適用が可能であることはもちろんであり、上述した実施形態においても具体的な操作機能と入力動作は多様に変形が可能であることを明らかにする。
【０３００】
一方、本発明に係るデータ入力装置は、実際に作動する入力部１０が設けられても設けられなくても水平移動、傾き移動、方向押し（第３方向入力Ｍ３）を感知することができる圧力センサや感知パッドを感知部として設け、実際に入力部１０の動作は起こらなくても本発明の第１方向入力Ｍ１、第２方向入力Ｍ２、および第３方向入力Ｍ３を実行することもできる。
【０３０１】
または、図３６に示すように、本発明に係るデータ入力装置をマウスとして活用してもよいため、例えば、第１方向入力Ｍ１によってはマウスポインタの移動を実行してもよい。
【０３０２】
また、１２時方向および６時方向の第２方向入力Ｍ２によってはウィンドウ表示、ウィンドウ拡大／縮小、背景画面表示、またはウィンドウ開／閉などを実行し、３時または９時方向の第２方向入力Ｍ２によってはウィンドウ切り替え機能を実行してもよい。
【０３０３】
または、１２時および６時方向の第３方向入力Ｍ３によってはスクロール上下操作を実行し、３時方向の第３方向入力Ｍ３によってはマウス右ボタン機能を実行し、９時方向の第３方向入力Ｍ３によってはスクロールボタン機能を実行してもよい。
【０３０４】
または、中央入力Ｃを多段として、２段はマウス左ボタンのダブルクリック機能を実行してもよい。
【０３０５】
ここで、前記第２方向入力Ｍ２および第３方向入力Ｍ３に割り当てられた機能は、互いに変更および交換が可能であることはもちろんである。
【０３０６】
一方、本発明に係るデータ入力装置は、図３７、図４５〜図４７に示すように、タッチスクリーン１３０で作動してもよい。
【０３０７】
図３７は、圧力感知が可能なタッチスクリーン１３０において、基準位置Ｓを中心として指または入力部１０の接触点Ｔによる方向移動、押し、または傾きを感知して実行する。
【０３０８】
より具体的に説明すれば、図３７の（ａ）に示すように、第１方向入力Ｍ１は指（または入力部１０、以下同じ）の接触点Ｔの移動によって感知する。
【０３０９】
第３方向入力Ｍ３は、図３７の（ｂ）に示すように、接触面積を中心として押しが発生した位置、すなわち、接触面積の変化を方向押し値によって感知する。
【０３１０】
ここで、第３方向入力Ｍ３は、第１方向入力Ｍ１による接触点Ｔの移動後にもどこででも感知されることはもちろんである。
【０３１１】
第２方向入力Ｍ２は、図３７の（ｃ）に示すように、指が接触点Ｔが所定の距離に移動して所定の方向の押し圧力値が発生すれば、これを感知する。
【０３１２】
しかしながら、ここで所定の方向に発生する押し圧力値は、第３方向入力Ｍ３時に発生する圧力感知値とは異なり、第３方向入力Ｍ３時には所定の部分に押し圧力値が発生するが、第２方向入力Ｍ２は前記押し圧力よりもより広い接触面積に渡って押し圧力が発生する。
【０３１３】
または、傾き移動（第２方向入力Ｍ２）または押し（第３方向入力Ｍ３）は接触面積が変化しながら、すなわち、接触面積の一部分が無くなりながら押されれば感知されるようにしてもよい。
【０３１４】
または、本発明に係るデータ入力装置は、図３８に示すように、入力部１０自体が移動または変更しないが、入力部１０に加えられる圧力の大きさまたは方向によって各方向入力を区分して入力してもよい（いわゆる不動式）。
【０３１５】
例えば、水平方向への加圧力によっていずれか一側方向への伸張または他の方向への収縮を誘導する場合には、その圧力値が所定の値以上であれば第１方向入力Ｍ１として感知してもよい。
【０３１６】
または、所定方向への傾きを誘導する加圧力が所定の値以上であるか所定の範囲内であれば第２方向入力Ｍ２として処理してもよく、所定の位置への押し加圧力が所定の値以上であれば第３方向入力Ｍ３として処理してもよい。
【０３１７】
例えば、図３８のように各圧力値が設定された場合に、第１方向入力（Ｍ１、圧力値＝２５）、第２方向入力（Ｍ２、圧力値＝４０）、または第３方向入力（Ｍ３、圧力値＝５０）を実行した場合に、感知された合計の圧力値が７５であればこれは第１方向入力Ｍ１と第３方向入力Ｍ３が実行されたものとし（すなわち、第１方向入力Ｍ１および第２方向入力Ｍ２によっては５０以上の圧力値が感知されないため）、感知された合計圧力値が９０であれば第２方向入力Ｍ２と第３方向入力Ｍ３が実行されたものとしてもよい。
【０３１８】
図３９には、第１方向指示位置ｍ１と第２方向指示位置ｍ２が互いに交差するように配置された例が示されている。
【０３１９】
図面を参照すれば、第１方向指示位置ｍ１は東西南北の４方向で配置されており、第２方向指示位置ｍ２は北東、北西、南東、南西の４方向で互いに交差するように配置されている。
【０３２０】
この場合、第１方向入力Ｍ１によってある一方向に移動しながらその方向（または他の方向）に入力部１０を傾けることが困難である場合に、傾き方向を若干捻って傾ければ第２方向入力Ｍ２がより円滑になるという効果がある。
【０３２１】
または、本発明に係るデータ入力装置と各種端末器の相互間に送受信部をさらに備え、携帯用端末器、デスクトップコンピュータ、デジタルＴＶなどの機器の有線または無線方式のリモコン（遠隔調整装置）のような機能を実行してもよい。
【０３２２】
この場合、データ入力装置によってテキスト入力のための文字、数字、記号などのデータ入力や３次元コンテンツをコントロールするための制御装置として用いられてもよい。
【０３２３】
例えば、図４１の（ａ）を参照すれば、１２時方向の第１方向入力Ｍ１によってはウィンドウ拡大機能を実行し、６時方向の第１方向入力Ｍ１によってはウィンドウ縮小機能を実行してもよい。３時および９時方向の第１方向入力Ｍ１によっては早送りまたは巻き戻し機能を実行してもよい。
【０３２４】
すなわち、各方向に入力部１０を移動してマウスとして用い、各方向に傾きまたは押して再生、一時停止、次の曲、画面拡大／縮小などの多様な機能を用いてもよい。
【０３２５】
または、入力部１０の移動によってコンテンツを選択し、選択したコンテンツで各方向の押しによってボリューム、早送りなどの機能を実行してもよい。
【０３２６】
または、第３方向入力によってはボリュームまたはチャンネル調整や、次のファイルにスキップなどの機能を実行してもよい。
【０３２７】
または、図４１の（ｂ）に示すように、３時または９時方向の第１方向入力Ｍ１によってはコンテンツ選択機能を実行し、中央入力Ｃを追加して弱く押せば再生、強く押せば一時停止のような機能を実行してもよい。
【０３２８】
または、図４２の（ａ）に示すように、ＴＶリモコンとして用いる場合に、第１方向入力Ｍ１を２段で構成し、１段の第１方向入力Ｍ１によっては数字「１、２、３、４」を入力し、２段の第１方向入力Ｍ１によっては数字「５、６、７、８」を入力してもよい。
【０３２９】
図４２の（ｂ）は、第２方向入力Ｍ２まで活用された例を示す。
【０３３０】
ここで、図４１および図４２に示す各機能は、本発明に係るデータ入力装置の具体的な活用例の一部を示すものであって、各方向入力の組み合わせや方向指示位置の数、および中央入力Ｃの組み合わせの可否、各入力動作の多段の可否を自由に調節して用いてもよいという点を明らかにする。
【０３３１】
図４３は、本発明に係るデータ入力装置を利用して派生語を入力する方法を示す図である。
【０３３２】
例えば、文字「ｔ」が割り当てられた１２時方向に第１方向入力Ｍ１を実行すれば、キーボード表示部１７４に文字「ｔ」で始まる各種派生語、すなわち、「ｔｈｉｓ、ｔｈａｔ、ｔｈｅｒｅ、ｔｈｅｍ」が示される。
【０３３３】
ここで、第１方向入力Ｍ１の実行後に発生する派生語キーボード表示部１７４は、各第２方向指示位置ｍ２別に異なって構成される。
【０３３４】
したがって、該当する方向に第３方向入力Ｍ３を実行すれば該当する派生語がすぐに入力されるので、初めの文字を除いた残りの字を入力する必要がないため、入力時間を短縮することができる効果がある。
【０３３５】
ここで、派生語によるキーボード表示部１７４は、各方向入力を実行するたびに異なって表示されれてもよい。例えば、第１方向入力Ｍ１を実行するときには各第１方向指示位置ｍ１別に「ｔ、ｓ、ｂ、ｄ」が表示されたキーボード表示部１７４が表示され、「ｔ」に移動した後には各第２方向指示位置ｍ２別に派生語が表示されたキーボード表示部１７４が表示され、最終的に１２時方向に第２方向入力Ｍ２を実行した後には、図４３に示すような派生語が表示されたキーボード表示部１７４が表示される。
【０３３６】
各キーボード表示部１７４に表示される派生語はカテゴリ別に区分されてもよいが、例えば、名詞、動詞、形容詞などに区分されて表示されてもよい。
【０３３７】
または、前記派生語以外にも入力が進められた文字またはデータと関連した多様な数字、機能、文字などが表示されてもよいことはもちろんである。
【０３３８】
図４４は、文字入力による派生語または予測文字のさらに具体的な実施形態を示す図である。
【０３３９】
すなわち、１２時方向への第１方向入力Ｍ１を実行して文字「Ｓ」を選択した場合、図４４に示すように、各第２方向指示位置ｍ２別に割り当てられた予測語がキーボード表示部１７４がカテゴリ別または類似した群で纏められて表示される。
【０３４０】
また、最終的に第３方向入力Ｍ３を選択して予測語を入力する。
【０３４１】
ここで、各方向指示位置がすべて４個で設けられる場合に、いずれか１つの第１方向指示位置ｍ１に移動したときに入力することができる予測語の数は、４個の第２方向指示位置ｍ２別に４個の第３方向入力Ｍ３が可能であるため１６個となる。したがって、総６４個の予測語入力が可能である。
【０３４２】
したがって、各方向指示位置を５個ずつとする場合には５×５×５＝１２５の予測語入力が可能であり、各方向指示位置を６個ずつとすれば６３＝２１６が可能である。
【０３４３】
すなわち、３個の方向指示位置の数をａ個と同じようにすれば、１つの入力部１０で入力することができる予測語の数は合計ａ３であり、入力部１０を２つ設ければ２ａ３まで可能である。
【０３４４】
もちろん、各方向指示位置の数を互いに異なるようにすれば、入力することができる予測語の数はより多様化する。
【０３４５】
一方、図４５〜図４７に示すように、入力部１０をベース１１０に対して着脱または移動可能なようにすることにより、ユーザが入力位置を自由に変更するようにしてもよい。
【０３４６】
例えば、図４５に示すように、本発明に係るデータ入力装置を携帯用移動通信端末器に装着する場合、入力部１０を多様な材質の紐のような連結部材１８０を利用して連結することにより、データ入力時にのみ入力部１０をタッチスクリーン１３０などにのせて用いるようにしてもよい。
【０３４７】
この場合、タッチスクリーン１３０には基準位置感知部１６６が設けられており、入力部１０または支持部１２５の接触が感知されれば自動的に入力モードに転換されるようにしてもよい。
【０３４８】
または、図４６に示すように、帯形状を有する本体１８１と、本体１８１に設けられて入力部１０が第１方向入力Ｍ１および第２方向入力Ｍ２が実行可能なように収容される収容部１８２と、本体１８１の両端部に設けられてベース１１０に設けられたスライド溝１８５に結合してスライディングする移動支持部１８３を含む連結部材１８０とを設けてもよい。
【０３４９】
この場合、連結部材１８０がベース１１０に沿って移動しながら入力部１０が入力位置に移動するようになる。
【０３５０】
または、図４７に示すように、入力部１０がフィリップタイプの本体１８１に収容されることにより、ヒンジ部１８６によって回動しながら入力位置に移動するようにしてもよい。
【０３５１】
ここで、上述した各場合において、入力部１０の移動を感知する第１感知部３１、第２感知部３２、および第３感知部３３はタッチスクリーン１３０に設けられてもよい。
【０３５２】
このとき、第２感知部６３は、図３０に示すように、入力部１０の移動によってその位置が変更することにより、第１方向入力Ｍが実行された状態で入力部１０が基準位置Ｓに復帰する必要なく、その場で第２方向入力Ｐが実行されるようにしてもよい。
【０３５３】
一方、タッチスクリーン１３０には、図４３に示すように、第１方向入力Ｍ１、第２方向入力Ｍ２、および第３方向入力Ｍ３によって入力される文字が表示されるキーボード表示部１７４が設けられてもよく、この場合、キーボード表示部１７４は入力部１０の移動時によって移動されてもよい。
【０３５４】
本発明に係るデータ入力装置は、実現される形態や用途に限定をおくものではなく、本発明分野の当業者が本発明によって容易に多様な形態に変形して実施できることはもちろんであるため、実施形態や用途に関係なく本発明の思想の入力が実行されるデータ入力装置であれば、本発明の範疇に属するものと見なさなければならないであろう。
【符号の説明】
【０３５５】
１０：入力部
１４：内側入力部
１５：ロード
１６：外側入力部
１７：中央キー
１８：支持突起
３１：第１感知部
３２：第２感知部
３３：第３感知部
３７：タッチ感知部
４１：支持部
４３：移動支持部
４３ａ：弾性突起
４３ｂ：半円支持部
４５：支持台
５１：リターン部材
５３：入力転換部
５４：突起
５５：収容溝
５６：弾性体
５６ａ：第１弾性体
５６ｂ：第３弾性体
６１：第１弾性部材
６２：第２弾性部材
７１：第１突出部
７２：第２突出部
７３：第３突出部
７５：中央突起部
１１０：ベース
１２５：支持部
１３０：タッチスクリーン
１６６：基準位置感知部
１７４：キーボード表示部
１８０：連結部材
１８１：本体
１８２：収容部
１８３：移動支持部
１８５：スライド溝
１８６：ヒンジ部
Ｃ：中央入力
ｍ１：第１方向指示位置
ｍ２：第２方向指示位置
ｍ３：第３方向指示位置
Ｍ１：第１方向入力
Ｍ２：第２方向入力
Ｍ３：第３方向入力
Ｓ：基準位置
【図１】
2011508337.tif 000003
【図２】
2011508337.tif 000004
【図３】
2011508337.tif 000005
【図４】
2011508337.tif 000006
【図５】
2011508337.tif 000007
【図６】
2011508337.tif 000008
【図７】
2011508337.tif 000009
【図８】
2011508337.tif 000010
【図９】
2011508337.tif 000011
【図１０】
2011508337.tif 000012
【図１１】
2011508337.tif 000013
【図１２】
2011508337.tif 000014
【図１３】
2011508337.tif 000015
【図１４】
2011508337.tif 000016
【図１５】
2011508337.tif 000017
【図１６】
2011508337.tif 000018
【図１７】
2011508337.tif 000019
【図１８】
2011508337.tif 000020
【図１９】
2011508337.tif 000021
【図２０】
2011508337.tif 000022
【図２１】
2011508337.tif 000023
【図２２】
2011508337.tif 000024
【図２３】
2011508337.tif 000025
【図２４】
2011508337.tif 000026
【図２５】
2011508337.tif 000027
【図２６】
2011508337.tif 000028
【図２７】
2011508337.tif 000029
【図２８】
2011508337.tif 000030
【図２９】
2011508337.tif 000031
【図３０】
2011508337.tif 000032
【図３１】
2011508337.tif 000033
【図３２】
2011508337.tif 000034
【図３３】
2011508337.tif 000035
【図３４】
2011508337.tif 000036
【図３５】
2011508337.tif 000037
【図３６】
2011508337.tif 000038
【図３７】
2011508337.tif 000039
【図３８】
2011508337.tif 000040
【図３９】
2011508337.tif 000041
【図４０】
2011508337.tif 000042
【図４１】
2011508337.tif 000043
【図４２】
2011508337.tif 000044
【図４３】
2011508337.tif 000045
【図４４】
2011508337.tif 000046
【図４５】
2011508337.tif 000047
【図４６】
2011508337.tif 000048
【図４７】
2011508337.tif 000049
【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
ベース；
前記ベースに設けられた入力部であって、前記入力部は、前記入力部が所定の入力半径内で基準位置から放射状に離隔配置された複数の第１方向指示位置のうちのいずれか１つに向かって水平移動されるようにする第１方向入力と、水平位置から前記基準位置を中心として放射状に離隔配置された複数の第２方向指示位置のうちのいずれか１つに向かって前記入力部全体が傾き移動されるようにする第２方向入力と、前記入力部自体に放射状に離隔配置された複数の第３方向指示位置のうちのいずれか１つを選択されるようにする第３方向入力と、がそれぞれ独立的に実行可能なように備えられる、入力部；
前記入力部の水平移動を感知する第１感知部；
前記入力部の傾き移動を感知する第２感知部；
前記第３方向入力を感知する第３感知部；および、
前記第１感知部、第２感知部および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項２】
前記第３方向入力は、前記入力部が前記複数の第３方向指示位置のうちのいずれか１つに向かって傾いて入力されることを特徴とする請求項１に記載のデータ入力装置。
【請求項３】
前記第３方向入力は、前記入力部に前記各第３方向指示位置に対応して設けられた押し部のうちのいずれか１つを選択して入力されることを特徴とする請求項１に記載のデータ入力装置。
【請求項４】
前記入力部は、前記入力部の中央に設けられた中央入力キーが選択されるような方法および前記入力部全体が前記ベースに対して昇降されるような方法のうちの１つ以上の方法を使用して実行される中央入力が実行可能なように構成されていることを特徴とする請求項１に記載のデータ入力装置。
【請求項５】
前記中央入力は２段以上の多段入力が実行可能なように備えられることを特徴とする請求項４に記載のデータ入力装置。
【請求項６】
前記中央入力と前記第１方向入力、第２方向入力、または第３方向入力のうちのいずれか１つを組み合わせる中央組み合わせ入力が実行される場合、前記第１方向指示位置、第２方向指示位置、および第３方向指示位置に本来割り当てられた文字とは異なった文字が入力されることを特徴とする請求項４に記載のデータ入力装置。
【請求項７】
前記第１方向入力、第２方向入力、または第３方向入力のうちの１つ以上は、前記入力部の水平移動距離、傾き移動の程度、傾き角度、または前記押し部の押し距離または押し圧力の強度によって２段以上の多段入力が可能なように備えられることを特徴とする請求項１に記載のデータ入力装置。
【請求項８】
前記入力部の下部とベースの間に設けられて前記入力部が上部面に沿って水平移動するように支持し、前記入力部の傾き移動時に初期位置に復帰するようにする第１弾性部材と、前記入力部の縁部と前記ベースの間に設けられて前記入力部の水平移動時に前記初期位置に復帰するようにする第２弾性部材をさらに含むことを特徴とする請求項１〜７のうちのいずれか一項に記載のデータ入力装置。
【請求項９】
前記ベースの内側縁部には前記各第１方向指示位置に対応して第１感知部が設けられ、前記第２弾性部材の縁部には前記各第１感知部に対応して突出し、前記入力部の水平移動時に前記入力部によって加圧され、前記第１感知部に接触する第１突出部が備えられることを特徴とする請求項８に記載のデータ入力装置。
【請求項１０】
前記ベースには前記各第２方向指示位置に対応して第２感知部、前記各第３方向指示位置に対応して第３感知部、および前記中央入力キーの下部に対応して中央入力感知部が配置され、
前記第１弾性部材の縁部には前記各第２感知部に対応して突出し、前記入力部の傾き移動時に前記入力部によって加圧されて前記第２感知部に接触する第２突出部と、前記第１弾性部材の下部に前記各第３感知部に対応して突出し、前記入力部の傾き時に前記入力部によって加圧されて前記第３感知部に接触する第３突出部と、前記中央入力キーの下部に対応して前記第１弾性部材から突出し、前記中央入力時に前記中央入力感知部に接触する中央突出部がそれぞれ備えられることを特徴とする請求項８に記載のデータ入力装置。
【請求項１１】
前記入力部の下部と前記ベースの間には、前記入力部に向かって湾曲した半球形状の支持部がさらに設けられ、
前記入力部は、前記支持部の上部面に対応する下部接触面を有して前記支持部に沿って傾き移動する第１入力部と、前記第１入力部の上部面に載置して前記第１入力部の上部面に沿って水平移動が可能なように備えられる第２入力部を有することを特徴とする請求項１〜７のうちのいずれか一項に記載のデータ入力装置。
【請求項１２】
前記ベースに向かう前記支持部の下部には、前記第３方向指示位置に対応して突出し、前記第３方向入力時に移動して前記第３感知部に接触する第３突出部と、前記入力部の中央に対応して前記ベースに向かって突出し、前記中央入力時に前記中央入力感知部に接触する中央突出部がさらに備えられることを特徴とする請求項１１に記載のデータ入力装置。
【請求項１３】
前記第１感知部は、前記第２入力部の水平移動時に前記第２入力部が接触するように前記各第１方向指示位置に対応して前記ベースの内側縁部に配置され、
前記第２感知部は、前記第１入力部の傾き移動時に前記第１入力部が接触するように前記各第２方向指示位置に対応して前記ベースの底面に配置されることを特徴とする請求項１１に記載のデータ入力装置。
【請求項１４】
前記第１入力部と第２入力部の間に設けられ、前記第１入力部の傾き移動または前記第２入力部の水平移動が選択的に行われるようにする入力転換部をさらに含むことを特徴とする請求項１１に記載のデータ入力装置。
【請求項１５】
前記入力部の下部と前記ベースの間には、前記入力部に向かって湾曲した半球形状を有して前記第１方向入力時に前記入力部と共に水平移動する移動支持部をさらに含むが、前記移動支持部の下部には、前記ベースに配置された前記第３感知部に向かって突出した第３突出部と、前記中央入力感知部に向かって突出した中央突出部が形成され、前記入力部は前記移動支持部の上部面の形状に対応する下部接触面が形成され、前記移動支持部に沿って傾き移動して前記第２方向入力が実行されることを特徴とする請求項１〜７のうちのいずれか一項に記載のデータ入力装置。
【請求項１６】
前記入力部の縁部に沿って前記各第２方向指示位置に対応して前記第２感知部に向かって突出した第２突出部をさらに含むことを特徴とする請求項１５に記載のデータ入力装置。
【請求項１７】
前記移動支持部と前記ベースの間に設けられ、前記第１方向入力時に前記入力部および移動支持部を基準位置に復帰するようにするリターン部材をさらに含むことを特徴とする請求項１５に記載のデータ入力装置。
【請求項１８】
前記第１方向入力、第２方向入力、または第３方向入力のうちの２つ以上が組み合わされて新たな入力信号を発生させる方向組み合わせ入力が実行可能なように構成されることを特徴とする請求項１に記載のデータ入力装置。
【請求項１９】
前記第１方向入力、第２方向入力、または第３方向入力のうちのいずれか１つが先に実行された後に前記中央入力が実行され、続いて前記各方向入力のうちのいずれか１つが順に実行される方向中央方向入力によって新たな入力信号が発生することを特徴とする請求項４に記載のデータ入力装置。
【請求項２０】
前記ベースに設けられたディスプレイ部には前記各方向入力または中央入力によって入力される文字が表示される文字表示部を含むが、前記文字表示部には前記各方向入力または中央入力を順に実行する時に各入力位置で入力可能な文字または予測文字が表示され、該当する入力動作を実行する時に表示された前記文字または予測文字が一度に入力されることを特徴とする請求項１または４に記載のデータ入力装置。
【請求項２１】
ベース；
前記ベースに設けられた入力部であって、前記入力部は、
水平位置から基準位置を中心として放射状に離隔配置された複数の第３方向指示位置のうちのいずれか１つを選択する第２方向入力を実行する内側入力部と、
外側入力部であって、前記内側入力部の周縁に沿って前記内側入力部の外部に設けられ、かつ前記基準位置を中心として放射状に離隔配置された複数の第２方向指示位置のうちのいずれか１つに向かって前記外側入力部を傾くようにする第２方向入力を実行するよう構成された外側入力部と、を含み、
前記入力部が、前記外側入力部および内側入力部を前記基準位置から放射状に離隔配置された複数の第１方向指示位置のうちのいずれか１つに同時に水平移動させる第１方向入力が実行可能なように構成された、入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項２２】
ベース；
前記ベースに設けられた入力部であって、前記入力部は、
内側入力部であって、前記内側入力部を水平位置から基準位置を中心として放射状に離隔配置された複数の第２方向指示位置のうちのいずれか１つに向かって傾くようにさせる第２方向入力を実行するための内側入力部と、
前記内側入力部の周縁に沿って前記内側入力部の外部に設けられ、前記基準位置を中心として放射状に離隔配置された複数の第３方向指示位置のうちのいずれか１つを選択する第３方向入力を実行するよう構成された外側入力部と、を含み、
前記入力部が、前記外側入力部および内側入力部を前記基準位置から放射状に離隔配置された複数の第１方向指示位置のうちのいずれか１つに同時に水平移動させる第１方向入力を実行可能なように構成された、入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項２３】
ベース；
前記ベースに設けられた移動支持部；
前記移動支持部に装着される入力部であって、前記入力部は、前記入力部と移動支持部を基準位置から各放射方向に水平移動するように第１方向入力を実行し、前記入力部を前記移動支持部上部で各放射方向に傾けるように第２方向入力を実行し、前記入力部上段の各放射方向に対応する周縁が押圧されるように第３方向入力を実行する、入力部；
前記入力部の水平移動を感知する第１感知部；
前記入力部の傾き移動を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項２４】
前記入力部は、第１入力部と、前記第１入力部の上部に配置されかつ前記第３方向入力を実行するよう構成された第２入力部とを含み、
前記第１入力部の縁部には前記第３方向入力時に前記第１入力部の傾きを防ぐ傾き防止爪がさらに備えられることを特徴とする請求項２３に記載のデータ入力装置。
【請求項２５】
前記第１入力部と移動支持部の間に設けられ、前記第１入力部の傾き時に弾性変形して前記第２方向入力を実行するようにし、前記第２方向入力実行後に前記第１入力部を元の位置に復帰させる弾性体をさらに含むことを特徴とする請求項２４に記載のデータ入力装置。
【請求項２６】
ベース；
前記ベースに設けられた移動支持部；
前記移動支持部に装着される入力部であって、前記入力部は、前記入力部と移動支持部を基準位置から各放射方向に水平移動するように第１方向入力を実行し、前記入力部上段の各放射方向に対応する周縁を傾けるように第２方向入力を実行し、前記入力部上段の各放射方向に対応して周縁が押圧されるように第３方向入力を実行する、入力部；
前記入力部の水平移動を感知する第１感知部；
前記入力部の傾き移動を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項２７】
前記支持部の上部に前記各第２方向指示位置および第３方向指示位置に対応して突出した弾性突起と、前記弾性突起と前記入力部の間に設けられた半円支持部をさらに含み、
前記第２方向入力時には前記半円支持部が前記入力部の傾き方向に回転して前記第２感知部に接触し、前記第３方向入力時には前記半円支持部がそのまま下降して前記第３感知部に接触することを特徴とする請求項２６に記載のデータ入力装置。
【請求項２８】
前記移動支持部と前記ベースの間に設けられ、前記第２方向入力時に前記入力部の傾き方向に弾性変形する弾性体をさらに含むことを特徴とする請求項２１、２２、２３、または２６のうちのいずれか一項に記載のデータ入力装置。
【請求項２９】
前記入力部と移動支持部の間に設けられ、前記第３方向入力時に前記入力部が傾くことを防ぐ入力転換部をさらに含むことを特徴とする請求項２１、２２、２３、または２６のうちのいずれか一項に記載のデータ入力装置。
【請求項３０】
ベース；
前記ベースに円板形状で設けられ、下部には前記ベースに向かって突出した棒状の支持突起が形成された入力部であって、前記入力部は、前記入力部を基準位置から各第１方向指示位置に向かって水平移動させる第１方向入力と、前記入力部を各第２方向指示位置に向かって傾くようにする第２方向入力と、前記入力部上段の各第３方向指示位置を押圧する第３方向入力がそれぞれ独立的に実行可能なように備えられる、入力部；
前記ベースと入力部の間に設けられ、中央に前記支持突起が傾き可能なように収容される収容溝が形成された支持部；
前記入力部の水平移動を感知する第１感知部；
前記入力部の傾き移動を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項３１】
ベース；
前記ベースに設けられた入力部であって、前記入力部は、前記入力部を基準位置から各第１方向指示位置に向かって水平移動させる第１方向入力と、前記入力部の周縁に沿って各第２方向指示位置に設けられた押圧位置を選択する第２方向入力と、前記入力部の周縁に沿って前記第２方向指示位置と交差するように配置された各第３方向指示位置に設けられた押圧位置を選択する第３方向入力と、がそれぞれ独立的に実行可能なように備えられる、入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項３２】
前記入力部は、前記各第２方向指示位置に対応して押圧位置が突出した内側入力部と、前記各第３方向指示位置に対応して設けられた複数の外側入力部を含むことを特徴とする請求項３１に記載のデータ入力装置。
【請求項３３】
ベース；
前記ベースに設けられた入力部であって、前記入力部は、前記入力部を基準位置から各第１方向指示位置に向かって水平移動させる第１方向入力と、前記入力部を各第２方向指示位置に向かって傾くようにする第２方向入力と、前記入力部を前記第２方向指示位置と交差するように配置された各第３方向指示位置に向かって傾くようにする第３方向入力と、がそれぞれ独立的に実行可能なように備えられる、入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項３４】
前記入力部は、内側入力部と、前記内側入力部の縁部に沿って前記各第３方向指示位置に対応して設けられた複数の外側入力部と、前記内側入力部と各外側入力部の間に設けられた弾性体を含むことを特徴とする請求項３３に記載のデータ入力装置。
【請求項３５】
ベース；
第１入力部であって、前記ベースに設けられ、前記第１入力部を規準位置から各第１方向指示位置に向かって水平移動させる第１方向入力を実行するよう構成された第１入力部；
第２入力部であって、中央から放射状に延長した複数の突起を有する星模様を有して、前記第１入力部に設けられ、前記第２入力部を各突起に対応する第２方向指示位置に向かって傾くようにする第２方向入力と、前記第２入力部を各突起に対応する第３方向指示位置で押圧する第３方向入力と、をそれぞれ独立的に実行可能なように備えられる第２入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【請求項３６】
ベース；
前記ベースに設けられた入力部であって、前記入力部は、ジェル（ＧＥＬ）タイプの弾性変形が可能な材質を含み、前記入力部全体または一部を基準位置から各第１方向指示位置に向かって水平移動させる第１方向入力と、前記入力部の上段周縁に沿って各第２方向指示位置で押しによる局部変形を発生させる第２方向入力と、前記入力部の周縁に沿って各第３方向指示位置に向かって前記入力部上段を傾くようにする第３方向入力と、がそれぞれ独立的に実行可能なように備えられる、入力部；
前記第１方向入力を感知する第１感知部；
前記第２方向入力を感知する第２感知部；
前記第３方向入力を感知する第３感知部；および、
前記第１感知部、第２感知部、および第３感知部の感知結果に基づいて前記各第１方向指示位置に割り当てられた第１文字、前記各第２方向指示位置に割り当てられた第２文字、および前記各第３方向指示位置に割り当てられた第３文字をメモリ部から抽出して入力する制御部；
を含むデータ入力装置。
【国際調査報告】
2011508337.tif 000050
2011508337.tif 000051